(57)【要約】【課題】制御基板上の電子部品にノイズが混入することを抑制し、制御装置の誤作動等を抑制することのできる遊技機を提供する。【解決手段】パチンコ機の背面側には、各種制御装置が上下左右に並べられるようにして配置されている。遊技盤の中央には表示制御装置４５が配置されている。表示制御装置４５にはサブ中継基板を介して電源装置３１３から電源供給を受けている。表示制御装置４５には、描画用チップであるＶＤＰに対応するように冷却ファンが配置されている。そして、サブ中継基板の端子部と表示制御装置４５の端子部とに接続される電源供給用のケーブルコネクタは、冷却ファン用のファンダクト部６６３に引っ掛けられることにより、ＶＤＰの設置範囲を迂回するように配線される。【選択図】      図７
2015131206.tif 000002
【特許請求の範囲】
【請求項１】
所定の契機に基づき抽選を行い、当該抽選により当選結果が得られた場合には遊技者にとって有利な特別遊技状態を発生させる遊技機であって、
遊技に関する所定の制御を行う制御基板と、
前記制御基板を収容した基板ボックスと、
前記制御基板に対し電源供給する電源基板と、
前記基板ボックスの外部を通って、前記制御基板に設けられた第１の端子部と、前記電源基板又は当該電源基板に電気的に接続された中継基板に設けられた第２の端子部とに接続される電源供給用のケーブルコネクタとを備え、
前記制御基板に実装された電子部品のうち特定の電子部品の設置範囲が、当該制御基板の実装面に直交する実装面直交方向から見て、前記第１の端子部と前記第２の端子部とを結ぶ線上に交わった構成であって、
前記実装面直交方向から見て、前記特定の電子部品の設置範囲外に、前記電源供給用のケーブルコネクタを迂回させる迂回手段を備えたことを特徴とする遊技機。
【発明の詳細な説明】
【技術分野】
【０００１】
本発明は、パチンコ機等の遊技機に関するものである。
【背景技術】
【０００２】
従来、パチンコ機等の遊技機の背面側には、遊技に関わる各種制御を行う各種制御装置や、遊技球を払出す払出機構、各部に電源を供給する電源装置などが上下左右に並べられるようにして配設されている。制御装置としては、例えば遊技の統括的な制御を行う主制御装置、遊技球の払出装置を制御する払出制御装置、表示演出を行うための表示装置を制御する表示制御装置、スピーカやランプ等を制御する音声ランプ制御装置等が配設されている。
【０００３】
近年では、制御装置のメイン制御部を構成する中央処理装置（ＣＰＵ）等の電子部品の高性能化や制御用データ量の増加に伴い、制御基板に実装される各種電子部品が増加傾向にあるため、制御基板ひいては当該制御基板を収納する樹脂ケース（基板ボックス）のサイズも大型化する傾向にある。例えば、表示装置として液晶表示装置などが採用されており、この液晶表示部が興趣の向上を図るために徐々に大型化される傾向にあるため、これに一体的に組付けられる表示制御装置の大きさも液晶表示部に比例して大きくなってきている。そのため、遊技機背面側において表示装置（表示制御装置）が占める占有面積も大きくなってきており、他の制御装置は、上記表示装置の設置スペースを避けるように設置しなければならず、設置しづらくなってきているのが現状である。
【０００４】
加えて、遊技機背面側には、例えば制御装置同士を電気的に接続するコマンド送受信用のケーブルコネクタや、制御装置と電源装置とを電気的に接続する電源供給用のケーブルコネクタなども数多く配線されている（例えば特許文献１参照）。このため、場合によっては、制御装置に接続されるケーブルコネクタの中には、自身の基板ボックスの表面に沿って、すなわち各種電子部品が実装された制御基板の実装面に並行してケーブルコネクタが配設されてしまう場合もある。
【先行技術文献】
【特許文献】
【０００５】
【特許文献１】特開２００７−１１７７５９号公報
【発明の概要】
【発明が解決しようとする課題】
【０００６】
ところが、制御基板上の電子部品を跨ぐように電源供給用のケーブルコネクタが配線されている場合には、当該ケーブルコネクタを流れる電流に起因した電磁誘導ノイズ等が前記電子部品に混入し、制御対象機器ひいては遊技機に悪影響を及ぼすことも懸念される。
【０００７】
上述したように、近年では、演出機能の多様化などにより、制御基板には、より高性能な電子部品が搭載されるようになってきている。例えば、液晶表示装置などを制御する表示制御基板には、処理速度の速いＣＰＵや画像処理装置（ＶＤＰ）など演算手段が搭載され、より多彩な表示演出が可能となっている。このような表示制御基板のＣＰＵや画像処理装置（ＶＤＰ）などにノイズが混入すると、液晶表示部のちらつきや瞬断等が生じるおそれがある。勿論、表示制御基板に限らず、他の制御基板に関しても制御対象機器の不具合としてノイズの影響がでるおそれがある。
【０００８】
なお、上記課題は、遊技機背面側等に限らず、限られた設置スペースの中で制御装置など数多くの機器が設置される他の遊技機にも該当する問題である。すなわち、上記パチンコ機に限らず、スロットマシン等の他の遊技機にも該当する問題である。
【０００９】
本発明は、上記課題を解決するためになされたものであり、その目的は、制御基板上の電子部品にノイズが混入することを抑制し、制御装置の誤作動等を抑制することのできる遊技機を提供することにある。
【課題を解決するための手段】
【００１０】
以下、上記課題等を解決するのに適した各手段を項分けして説明する。なお、必要に応じて対応する手段に特有の作用効果等を付記する。
【００１１】
手段１．所定の契機に基づき抽選を行い、当該抽選により当選結果が得られた場合には遊技者にとって有利な特別遊技状態を発生させる遊技機であって、
遊技に関する所定の制御を行う制御基板と、
前記制御基板を収容した基板ボックスと、
前記制御基板に対し電源供給する電源基板と、
前記基板ボックスの外部を通って、前記制御基板に設けられた第１の端子部と、前記電源基板又は当該電源基板に電気的に接続された中継基板に設けられた第２の端子部とに接続される電源供給用のケーブルコネクタ（ハーネス）とを備え、
前記制御基板に実装された電子部品のうち特定の電子部品の設置範囲が、当該制御基板の実装面に直交する実装面直交方向から見て、前記第１の端子部と前記第２の端子部とを結ぶ線上に交わった構成であって、
前記実装面直交方向から見て、前記特定の電子部品の設置範囲外に、前記電源供給用のケーブルコネクタを迂回させる迂回手段を備えたことを特徴とする遊技機。
【００１２】
上記手段１によれば、特定の電子部品を避けるように電源供給用のケーブルコネクタを配線することができるため、当該ケーブルコネクタを流れる電流に起因した電磁誘導ノイズ等が特定の電子部品に混入することを抑制し、制御基板の誤作動等を抑制することができる。結果として、制御対象機器ひいては遊技機に悪影響を及ぼすといった不具合が低減される。
【００１３】
手段２．前記迂回手段を前記基板ボックスに一体形成したことを特徴とする手段１に記載の遊技機。
【００１４】
上記手段２によれば、部品点数の削減を図ることができる。
【００１５】
手段３．前記特定の電子部品に向けて送風する送風手段を備えるとともに、
前記基板ボックスは、前記実装面直交方向から見た少なくとも前記特定の電子部品の設置範囲を含む領域が外側に膨出しかつ内側に前記送風手段を収容する膨出部を備え、
前記膨出部を前記迂回手段としたことを特徴とする手段１に記載の遊技機。
【００１６】
上記手段３によれば、送風手段を備えることにより、例えばＣＰＵ等の高熱を発する電子部品など特定の電子部品に対し、基板ボックス内の空気よりも冷たい外気を集中的に送風し、当該電子部品を効率良く冷却することができる。結果として、効率よく特定の電子部品を適正温度に保つことができる。
【００１７】
さらに、送風手段を収容する膨出部を迂回手段として利用することにより、迂回手段として新たな部材を別途設ける必要もなく、構成の簡素化を図ることができる。加えて、膨出部が少なくとも特定の電子部品の設置範囲を含む領域に設けられているため、より確実に特定の電子部品を迂回させる迂回手段として機能することとなる。
【００１８】
手段４．前記特定の電子部品は、演算処理を行う演算手段であることを特徴とする手段１乃至３のいずれかに記載の遊技機。
【００１９】
上記手段４によれば、ＣＰＵやＶＤＰなどの演算手段は、ノイズの影響を大きく受けるため、上記手段１の作用効果がより奏効することとなる。
【００２０】
手段５．前記制御基板は、所定の表示手段を制御する表示制御基板であることを特徴とする手段１乃至４のいずれかに記載の遊技機。
【００２１】
上記手段５によれば、表示制御基板上の電子部品がノイズの影響を受けると、表示手段のちらつきや瞬断等といった不具合が発生し、遊技者に対し与える影響が大きくなるため、上記手段１の作用効果がより奏効することとなる。
【００２２】
手段６．前記制御基板との間で指令信号の送信及び受信の少なくとも一方を行う第２の制御基板と、
前記第２の制御基板を収容した第２の基板ボックスと、
前記基板ボックス及び前記第２の基板ボックスの外部を通って、前記制御基板に設けられた第３の端子部と、前記第２の制御基板に設けられた第４の端子部とに接続される指令信号用のケーブルコネクタ（ハーネス）とを備え、
前記指令信号用のケーブルコネクタの配線経路と、前記電源供給用のケーブルコネクタの配線経路とを離間させたことを特徴とする手段１乃至５のいずれかに記載の遊技機。
【００２３】
仮に指令信号用のケーブルコネクタと、電源供給用のケーブルコネクタとを重ね合わせて配線した場合には、電源供給用のケーブルコネクタからの影響により指令信号用のケーブルコネクタにノイズが乗り、上記同様に制御基板の誤作動等といった不具合が発生するおそれがある。これに対し、手段６のように、両者を離間することにより、このような不具合の発生を低減することができる。
【００２４】
また、近年では、ケーブルコネクタや、当該ケーブルコネクタの接続用コネクタが接続される制御基板の端子部に別途の基板を接続する、所謂「ぶら下げ」と称される行為などの悪質行為が行われることがある。この点、上記手段６によれば、指令信号用のケーブルコネクタが、電源供給用のケーブルコネクタと離間して見やすくなっているため、上記不正行為が行われたか否かを判別しやすくなる。
【００２５】
手段７．前記第３の端子部と前記第４の端子部との距離を、少なくとも前記第１の端子部と前記第２の端子部との距離よりも短く設定したことを特徴とする手段６に記載の遊技機。
【００２６】
上記手段７によれば、第３の端子部と第４の端子部との距離が、少なくとも第１の端子部と第２の端子部との距離よりも短く設定されている。つまり、指令信号用のケーブルコネクタとして、そのケーブル長が、少なくとも電源供給用のケーブルコネクタよりも短いものを利用できる。指令信号用のケーブルコネクタのケーブル長が比較的長い場合には、上記「ぶら下げ」等の不正行為が行われやすくなることが懸念されるが、上記手段７によれば、指令信号用のケーブルコネクタを比較的短く設定できるため、不正行為の抑止効果をさらに高めることができる。
【００２７】
手段８．所定の契機に基づき抽選を行い、当該抽選により当選結果が得られた場合には遊技者にとって有利な特別遊技状態を発生させる遊技機であって、
遊技の統括的な制御を行う主制御基板と、当該主制御基板からの指令信号に基づき所定の制御を行う第１副制御基板と、当該第１副制御基板からの指令信号に基づき所定の制御を行う第２副制御基板とを備え、
各種電子部品の実装された前記各制御基板の実装面が同一方向を向くように、前記主制御基板を収容した主基板ボックスの上方位置において、前記第１副制御基板を収容した第１副基板ボックスと、前記第２副制御基板を収容した第２副基板ボックスとが前後に重畳して配置され、
前記主基板ボックスの下方位置において、前記各制御基板に対し電源供給する電源基板を備え、
前記第１副制御基板の下方位置において、前記第２副基板ボックスに重畳配置されるとともに、前記各制御基板の実装面に直交する前後方向に見て、前記第２副制御基板に実装された電子部品のうちの特定の電子部品の設置範囲よりも左右方向一方側（例えば左側）に配置された中継基板を備え、
前記第１副制御基板及び前記第２副制御基板が、前記中継基板を介して、前記電源基板から電源供給を受ける構成とし、
前記第２副制御基板に関しては、当該第２副制御基板のうち前記特定の電子部品の設置範囲よりも左右方向他方側（例えば右側）に設けられた第１の端子部と、前記中継基板に設けられた第２の端子部とに接続される電源供給用のケーブルコネクタ（ハーネス）を介して前記中継基板から電源供給を受けるとともに、
前記第２副制御基板のうち前記特定の電子部品の設置範囲よりも左右方向他方側に設けられた第３の端子部と、前記第１副制御基板に設けられた第４の端子部とに接続される第１の指令信号用のケーブルコネクタ（ハーネス）を介して前記第１副制御基板から指令信号を受信する構成とし、
前記特定の電子部品の設置範囲よりも下側へ、前記電源供給用のケーブルコネクタを迂回させる迂回手段を備えるとともに、
前記第１の指令信号用のケーブルコネクタの配線経路を、前記特定の電子部品の設置範囲よりも上側にとることにより、前記電源供給用のケーブルコネクタの配線経路と離間させた構成とし、
前記主制御基板に設けられた第５の端子部と、前記中継基板に設けられた第６の端子部とに接続される第２の指令信号用のケーブルコネクタ（ハーネス）を備えることにより、前記第１副制御基板が前記中継基板を介して前記主制御基板から指令信号を受信する構成としたことを特徴とする遊技機。
【００２８】
上記手段８によれば、手段１や手段６と同様の作用効果が奏される。従って、上記手段２乃至５や、手段７と同様の構成を従属構成として採用することができる。
【００２９】
さらに、手段８では、第１及び第２の指令信号用のケーブルコネクタの両方を比較的短く設定できるため、手段７と同様の不正行為抑止効果を得ることができるとともに、電源供給用と指令信号用の中継基板の一体化を図り、部品点数の増加抑制及び基板配置構成の簡素化を図ることができる。
【００３０】
以下に、上記各手段が適用される各種遊技機の基本構成を示す。
【００３１】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【００３２】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【００３３】
Ｃ．上記各手段における前記遊技機、又は、上記各弾球遊技機は、パチンコ機又はパチンコ機に準ずる遊技機であること。
【００３４】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【００３５】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【図面の簡単な説明】
【００３６】
【図１】一実施形態におけるパチンコ機を示す正面図である。
【図２】パチンコ機の斜視図である。
【図３】内枠及び前面枠セットを開放した状態を示す斜視図である。
【図４】内枠及び遊技盤の構成を示す正面図である。
【図５】遊技盤の構成を示す背面図である。
【図６】遊技盤の構成を示す斜視図である。
【図７】パチンコ機の構成を示す背面図である。
【図８】電気的構成を示すブロック図である。
【図９】装飾図柄表示装置及び表示制御装置の分解斜視図である。
【図１０】サブ制御装置が載置された状態を示す、装飾図柄表示装置及び表示制御装置の背面図である。
【図１１】サブ制御装置が載置された状態を示す、装飾図柄表示装置及び表示制御装置を上方から見た斜視図である。
【図１２】サブ制御装置が載置された状態を示す、装飾図柄表示装置及び表示制御装置を下方から見た斜視図である。
【図１３】ケーブル保持ユニットが取外された状態を示す、サブ制御装置、装飾図柄表示装置及び表示制御装置の斜視図である。
【図１４】各種ケーブルコネクタが配線された状態を示す遊技盤の背面図である。
【図１５】各種ケーブルコネクタが配線された状態を示す遊技盤の背面斜視図である。
【図１６】ケーブル保持ユニットを説明するための図１０のＫ−Ｋ線部分断面図である。
【発明を実施するための形態】
【００３７】
以下、パチンコ遊技機（以下、単に「パチンコ機」という）の一実施形態を、図面に基づいて詳細に説明する。ここで、図１はパチンコ機１０の正面図であり、図２は斜視図である。また、図３は、内枠１２及び前面枠セット１４を開放した状態を示す斜視図である。但し、図３では便宜上、遊技盤３０面上に配設される釘や役物、前面枠セット１４に取付けられるガラスユニット１３７などを省略して示している。
【００３８】
図１乃至図３に示すように、パチンコ機１０は、当該パチンコ機１０の外郭を構成する外枠１１を備えており、この外枠１１の一側部に内枠１２が開閉可能に支持されている。外枠１１は、例えば木製の板材により全体として矩形状に構成され、小ネジ等の離脱可能な締結具により各板材が組み付けられている。
【００３９】
外枠１１の左辺部には、上ヒンジ８１及び下ヒンジ８２が設けられている。当該上ヒンジ８１及び下ヒンジ８２にて、内枠１２の上下部が回動可能に支持されており、これにより内枠１２が開閉可能に支持される。また、便宜上、図示は省略するが、外枠１１の右辺部には、後述する施錠装置６００の係止部材が係止される上下一対の受け金具が取付けられている。さらに、外枠１１下部には、樹脂製の幕板飾り８５が取着されている。
【００４０】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００４１】
また、内枠１２の前面側には、前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００４２】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００４３】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００４４】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００４５】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００４６】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００４７】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図８参照）が設けられるとともに、当該スピーカＳＰの前側にスピーカカバー２４が取着されている。
【００４８】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００４９】
次に、内枠１２（樹脂ベース３８）について図４を参照して説明する。図４は、内枠及び遊技盤の構成を示す正面図である。
【００５０】
上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００５１】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００５２】
また、図３に示すように、内枠１２の右側部背面側には施錠装置６００が設けられている。施錠装置６００は、前面枠セット１４の前面側に露出するシリンダ錠７００を備えており、該シリンダ錠７００の鍵穴に鍵を挿入し、一方に回動操作することで内枠１２を解錠でき、他方に回動操作することで前面枠セット１４及び裏パックユニット２０３を解錠できるようになっている。本実施形態では、内枠１２は外枠１１に対し施錠され、前面枠セット１４及び裏パックユニット２０３は内枠１２に対し施錠される。
【００５３】
次に、遊技盤３０の構成について図４を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、入球手段としての各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００５４】
また、第１契機対応口３３へ遊技球が入球したことを契機として大当たり抽選が行われ、当該大当たり抽選により当選結果が得られた場合には特別遊技状態としての大当たり状態が発生する。
【００５５】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００５６】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００５７】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００５８】
装飾図柄表示装置４２は、液晶表示装置であって、後述するサブ制御装置５６０によって表示内容が制御される。すなわち、装飾図柄表示装置４２においては、特別表示装置４３にて表示される結果に対応させるように、主制御装置２６１からのコマンド（指令信号）に基づき、サブ制御装置５６０によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。センターフレーム４７内には、各種ＬＥＤ等の発光手段や、当該ＬＥＤ等を駆動するＬＥＤ制御基板なども配設されている。
【００５９】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００６０】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００６１】
内レール構成部５１の先端部分には戻り球防止部材５３が取着されている。これにより、一旦、レール５０から遊技盤３０の上部へと案内された遊技球が再度レール５０内に戻ってしまうといった事態が防止される。
【００６２】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００６３】
次に、パチンコ機１０の背面構成について図５〜図７を参照して説明する。図５は、遊技盤の構成を示す背面図であり、図６はその斜視図である。また、図７は、パチンコ機の構成を示す背面図である。
【００６４】
パチンコ機１０の背面には、各種制御基板が上下左右に並べられるようにして、一部前後に重ねられるようにして配置されている。さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主制御基板としての主基板だけを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。なお、第１制御基板ユニット２０１、第２制御基板ユニット２０２及び裏パックユニット２０３は、ユニット単位で着脱できるよう構成されており、さらに、一部に支軸部を設けて内枠１２又は遊技盤３０の裏面に対して開閉できる構成となっている。
【００６５】
まず、遊技盤３０の背面構成について説明する。上述したように遊技盤３０の中央にはルータ加工によって形成された貫通穴に対して可変表示装置ユニット３５が配設されている。
【００６６】
可変表示装置ユニット３５の後部には、センターフレーム４７を背後から覆う樹脂製のフレームカバー２１３が後方に突出して設けられている。但し、本実施形態では、センターフレーム４７が遊技盤３０の前面側に固定され、フレームカバー２１３が遊技盤３０の裏面に固定されることによって、可変表示装置ユニット３５として一体化される構成となっている。そして、このフレームカバー２１３の後端に、液晶表示装置たる装飾図柄表示装置４２と表示制御装置４５とが前後に重ね合わされ一体化（ユニット化）された状態で取付けられている。さらに、表示制御装置４５の背面側にはサブ制御装置５６０が取付けられている。
【００６７】
ここで、まず装飾図柄表示装置４２及び表示制御装置４５の構造についてより詳しく説明する。
【００６８】
図９に示すように、ユニット化された装飾図柄表示装置４２及び表示制御装置４５では、樹脂材料等よりなる略長方形状のベースプレート６４５の前側に表示手段としての装飾図柄表示装置４２が配設され、ベースプレート６４５の後側に表示制御装置４５が配設されている。
【００６９】
ベースプレート６４５の前面側には、装飾図柄表示装置４２の本体部となる液晶表示器（液晶パネル）６４７が配設されている。液晶表示器６４７は、表示器として液晶を用いたディスプレイであり、略長方形状をなす薄板状に形成されている。
【００７０】
さらに、液晶表示器６４７の前面には、当該液晶表示器６４７を保護するための透明な保護パネル６４８が配設されている。
【００７１】
また、ベースプレート６４５の前面側には、液晶表示器６４７及び保護パネル６４８を重ね合わせた状態で係り止める窓枠フレーム６４９が配設される。窓枠フレーム６４９は後述するユニットカバー６５４に係止される。
【００７２】
一方、表示制御装置４５は、各種電子部品が実装された表示制御基板６５０を具備しており、この表示制御基板６５０がベースプレート６４５の背面側に取付けられている。そして、ベースプレート６４５の背面側には、透明樹脂材料等よりなるユニットカバー６５４が表示制御基板６５０を覆うように取付けられている。従って、ベースプレート６４５及びユニットカバー６５４により表示制御基板６５０を収容する基板ボックスが構成される。表示制御基板６５０が本実施形態における制御基板又は第２副制御基板に相当し、これを収容する前記基板ボックスが基板ボックス又は第２副基板ボックスに相当する。
【００７３】
ユニットカバー６５４は、表示制御基板６５０の実装面と相対向して略平坦に形成された略長方形状の背壁部６５５と、当該背壁部６５５の周縁部に沿って形成された上下左右の側壁部６５６とから形成されており、ベースプレート６４５側が開口面となった略箱形状に形成されたものである。
【００７４】
ユニットカバー６５４の背壁部６５５には、表示制御基板６５０に設けられた端子部（基板側コネクタ）６５８，６５９を外部に露出させるための端子部窓６６０が形成されている。この端子部窓６６０を介して表示制御装置４５の外側から表示制御基板６５０の端子部６５８，６５９への後述するケーブルコネクタＣ２，Ｃ４のコネクタ等の抜き差しが可能となる。
【００７５】
ユニットカバー６５４の上下左右の側壁部６５６には、それぞれ通気用の小孔群６６２が開口形成されている。本実施形態では、これらの小孔群６６２が排気口として機能する。なお、図１１等からも分かるとおり、小孔群６６２を構成する小孔には、小さな円形小孔６６２ａと、より大きな長孔６６２ｂの２種類がある。これは故障等の発生防止や不正防止の観点からであり、異物等が接触してほしくない電子部品が側壁部６５６の近傍に配置されている場合には当該箇所に対応して円形小孔６６２ａが設けられる。また、後述するＣＰＵ５２１やＶＤＰ５２６など、より重要な電子部品が側壁部６５６の近傍に配置されている場合などには、小孔群６６２が形成されないようにしてもよい。
【００７６】
なお、図５〜７からも分かるように、パチンコ機１０には、背面側の限られた設置スペースの中に多くの機器が設置されている。このため、各種機器が隣接して配設されている。例えば、表示制御装置４５の下方に主制御装置２６１が隣接して配置されている。図５に示すように、本実施形態では両者の設置間隔が比較的狭いため、十分な通気スペースが確保できず、ユニットカバー６５４の下側の側壁部６５６の小孔群６６２（図１２参照）からは効率よく排気を行うことができないことも懸念される。これに鑑み、本実施形態では、図１２に示すように、ユニットカバー６５４の下部の所定箇所、具体的には後述する冷却ファン６７５の下方位置にて、背壁部６５５と下側の側壁部６５６との連接部分に傾斜壁部６６５を形成するとともに、当該傾斜壁部６６５において斜め排気口６６６を形成した。下側の側壁部６５６の小孔群６６２に加えて、このような構成を採用することで、表示制御装置４５の後方又は斜め後方に向けて排気できるため、放熱性能の低下を抑制することができる。
【００７７】
さらに、背壁部６５５には、後述する冷却ファン６７５に対応して、後方へ突出したファンダクト部６６３が形成されている。ファンダクト部６６３の頂部には通気孔６６４が形成されている。本実施形態では、通気孔６６４が冷却用の外気を導入するための吸気口として機能する。
【００７８】
表示制御基板６５０には、後述するようなＣＰＵ５２１、プログラムＲＯＭ５２２、ワークＲＡＭ５２３、ビデオＲＡＭ５２４、キャラクタＲＯＭ５２５、ＶＤＰ５２６などの各種電子部品が実装されている。また、表示制御基板６５０は、端子部６５７を介して図示しないケーブルコネクタにより液晶表示器６４７（装飾図柄表示装置４２）と電気的に接続されている。
【００７９】
さらに、本実施形態では、表示制御基板６５０上において、発熱量の多い集積回路であるＣＰＵ５２１及びＶＤＰ５２６により発せられる熱を放熱するためのヒートシンク（放熱板）６７０が載置されている。
【００８０】
本実施形態におけるヒートシンク６７０は、熱伝導率のよいアルミニウム合金等により略平板状に形成されている。このうち、ＣＰＵ５２１及びＶＤＰ５２６に対応する領域が曲げ加工により段差状の当接部６７１となっており、当該当接部６７１の裏面がＣＰＵ５２１及びＶＤＰ５２６に面接触している。従って、ＣＰＵ５２１及びＶＤＰ５２６により発せられた熱は、ヒートシンク６７０側に伝導され、ヒートシンク６７０から放熱される。その結果、ＣＰＵ５２１及びＶＤＰ５２６が冷却される。本実施形態におけるヒートシンク６７０では、多数の放熱フィン等が省略されているため、表示制御装置４５部分を比較的薄型に形成することができる。
【００８１】
なお、図示は省略するが、ＣＰＵ５２１及びＶＤＰ５２６の上面には、非導電性で伝熱性能のよいシリコンゴム板が貼付けられている。つまり、ＣＰＵ５２１及びＶＤＰ５２６と、ヒートシンク６７０の当接部６７１は、シリコンゴム板を介して当接している。このシリコンゴム板は、熱伝導率の高い成分を含むと共に弾性を有する薄いゴム板である。これにより、ＣＰＵ５２１及びＶＤＰ５２６と、ヒートシンク６７０の当接部６７１は隙間なく密着される。もちろん、これに限らず、シリコングリスや伝熱性テープ等の非導電性の伝熱性緩衝体を介して当接することとしてもよい。
【００８２】
さらに、ヒートシンク６７０には、当接部６７１の後方位置において、当該当接部６７１を介してＶＤＰ５２６と対向するように送風手段としての冷却ファン６７５が取付けられている。この冷却ファン６７５は、ユニットカバー６５４の組付け時において上述したファンダクト部６６３内に差込まれた状態となる。
【００８３】
なお、ファンダクト部６６３は、表示制御基板６５０の実装面に直交する方向（実装面直交方向）から見た少なくともＶＤＰ５２６の設置範囲を含む領域が外側に膨出することにより形成されている。また、ＶＤＰ５２６の設置範囲は、実装面直交方向から見て、表示制御基板６５０の上記端子部６５９と、後述のサブ中継基板５７０の端子部５７２とを結ぶ線上に交わっている（図１０参照）。従って、表示制御基板６５０の端子部６５９が本実施形態における第１の端子部に相当し、サブ中継基板５７０の端子部５７２が第２の端子部に相当する。また、ＶＤＰ５２６は本実施形態における特定の電子部品，演算手段に相当し、ファンダクト部６６３は膨出部を構成する。
【００８４】
冷却ファン６７５は、薄型の軸流式のものであって、ハウジング内に、複数の羽根からなるファンと、当該ファンを駆動するモータとが収容されている。冷却ファン６７５には、表示制御基板６５０を介して駆動電力が供給される。
【００８５】
上記構成により、冷却ファン６７５を駆動すると、ファンダクト部６６３を介して吸い込まれた外気がユニットカバー６５４（表示制御装置４５）内へ導入され、ヒートシンク６７０に吹き付けられる。そして、当該外気は、ヒートシンク６７０との間で熱交換がなされた後、ユニットカバー６５４内を通り、上下左右の側壁部６５６の小孔群６６２や、傾斜壁部６６５の斜め排気口６６６より外部に排出される。これにより、ＣＰＵ５２１及びＶＤＰ５２６が冷却される。
【００８６】
上記のように構成された装飾図柄表示装置４２及び表示制御装置４５は、上記窓枠フレーム６４９と上記ユニットカバー６５４とを組付けることにより一体化（ユニット化）される。より詳しくは、窓枠フレーム６４９には複数の係止爪６４９ａが形成され、これに対応してユニットカバー６５４には前記係止爪６４９ａが係止される係止孔６８３が形成されている。そして、窓枠フレーム６４９及びユニットカバー６５４が係止されることで略箱状のハウジングが構成され、この中に装飾図柄表示装置４２及び表示制御装置４５が収容されて一体化された状態となる。
【００８７】
さらに、背面右上及び左下の２箇所の係止孔６８３にはそれぞれ封止部材６８６が嵌め込まれている。封止部材６８６は一旦嵌め込まれると取外し不能となるとともに、係止爪６４９ａの弾性変形を規制する。これにより窓枠フレーム６４９及びユニットカバー６５４が開封不能に連結された状態となる。但し、封止部材６８６を切断する等して取外すことにより、窓枠フレーム６４９及びユニットカバー６５４は開封可能となる。従って、封止部材６８６による封止処理は、その封止後の不正な開封を防止し、また万一不正開封が行われてもそのような事態を早期に且つ容易に発見可能とする。
【００８８】
さて、本実施形態では、図１０〜１３に示すように、ユニットカバー６５４の背壁部６５５にはサブ制御装置５６０が載置されている。図１０は、ユニットカバー６５４にサブ制御装置５６０が載置された状態を示す上記ユニット（装飾図柄表示装置４２及び表示制御装置４５）の背面図であり、図１１，１２はその斜視図である。また、図１３は、サブ制御装置５６０から後述するケーブル保持ユニット８００が取外された状態を示す上記ユニットの斜視図である。
【００８９】
サブ制御装置５６０は、後述するように主制御装置２６１（主基板２６２）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板５６１を具備しており、このサブ制御基板５６１が透明樹脂材料等よりなる基板ボックス５６２に収容されて構成されている。サブ制御基板５６１が本実施形態における第２の制御基板又は第１副制御基板に相当し、基板ボックス５６２が第２の基板ボックス又は第１副基板ボックスに相当する。
【００９０】
基板ボックス５６２は、ボックスベース５６３と該ボックスベース５６３を覆うボックスカバー５６４とからなる。
【００９１】
ボックスベース５６３の裏面には、図示しない係合爪部が形成されており、当該係合爪部が上記ユニットカバー６５４の背壁部６５５に形成された係合孔部６８４（図９参照）に係合されることによりサブ制御装置５６０（基板ボックス５６２）が固定される。
【００９２】
また、ボックスベース５６３上には、サブ中継基板５７０が搭載されており、後述する電源基板３１３ａより供給される電源がこのサブ中継基板５７０を介してサブ制御装置５６０及び表示制御装置４５に供給されるようになっている。サブ中継基板５７０が本実施形態における中継基板に相当する。
【００９３】
より詳しくは、サブ中継基板５７０には、後述する各種ケーブルコネクタのコネクタを接続するための複数の端子部（基板側コネクタ）５７１，５７２，５７３が左右方向に沿って並設されている。各端子部５７１〜５７３は、サブ中継基板５７０に突出形成されている。これに対応してサブ制御装置５６０のボックスカバー５６４の下部には凹部（退避部）５７４が形成さている。そして、当該凹部５７４に開口した孔部を介して端子部５７１，５７２，５７３が基板ボックス５６２外に露出状態となっている。
【００９４】
図７，図１４，図１５に示すように、端子部５７１には、電源供給用のケーブルコネクタＣ１が接続される。ケーブルコネクタＣ１の他方は、電源装置３１３の端子部（基板側コネクタ）５９０に接続される。図１４は、各種ケーブルコネクタが配線された状態を示す遊技盤３０の背面図であり、図１５は、その斜視図である。なお、図５，６等においては便宜上、各ケーブルコネクタの図示を省略するとともに、図７，図１４，１５においてのみ、主要なケーブルコネクタＣ１〜Ｃ１０を図示しているが、勿論、パチンコ機１０にはこの他にも多数のケーブルコネクタが配線される。
【００９５】
端子部５７２には、電源供給用のケーブルコネクタＣ２が接続される。ケーブルコネクタＣ２の他方は、表示制御装置４５の端子部６５９に接続される。つまり、サブ中継基板５７０を介して表示制御装置４５へ電源供給がなされる。なお、ケーブルコネクタＣ２は、図１４等を見て分かるとおり、ファンダクト部６６３の下コーナー部に引っ掛けられることにより、サブ中継基板５７０の端子部５７２から表示制御装置４５の端子部６５９までの直線経路ではなく、ＶＤＰ５２６の設置範囲を迂回するように配線されている。つまり、ファンダクト部６６３が本実施形態における迂回手段を構成する。
【００９６】
端子部５７３には、コマンド信号（指令信号）用のケーブルコネクタＣ３が接続される。ケーブルコネクタＣ３の他方は、主制御装置２６１の端子部７０２が接続される。
【００９７】
また、図１０に示すように、サブ中継基板５７０の上縁部には、差込部となるコネクタ５７５，５７６が上方向に向け突設され、これに対応するサブ制御基板５６１の下縁部には、前記コネクタ５７５，５７６に対向するようにして差込口となるコネクタ５７７，５７８が下方向に向け突設されている。そして、サブ制御基板５６１及びサブ中継基板５７０をボックスベース５６３上に搭載するに際して、サブ中継基板５７０側のコネクタ５７５，５７６が、サブ制御基板５６１側のコネクタ５７７，５７８に差込まれることにより両者が電気的に接続される。コネクタ５７５，５７７は電源供給用であり、コネクタ５７６，５７８はコマンド信号（指令信号）用である。つまり、サブ中継基板５７０を介して、主制御装置２６１からサブ制御装置５６０に対しコマンド（指令信号）が送信される。
【００９８】
なお、サブ中継基板５７０には、普通図柄表示装置４１及び特別表示装置４３も電気的に接続されている（図８参照）。そして、主制御装置２６１は、普通図柄表示装置４１及び特別表示装置４３に対し、ケーブルコネクタＣ３すなわちサブ中継基板５７０を介して制御信号等を出力する。従って、普通図柄表示装置４１及び特別表示装置４３は、サブ制御基板５６１を介さず、主制御装置２６１により直接的に制御される。
【００９９】
一方、装飾図柄表示装置４２は、サブ制御装置５６０（サブ制御基板５６１）を介して制御される。より詳しくは、サブ制御基板５６１の上部右端部近傍には、コマンド信号（指令信号）用の端子部（基板側コネクタ）５７９が突設されている。これに対応してサブ制御装置５６０のボックスカバー５６４の上部右端部近傍には開口部５８０が形成され、当該開口部５８０を介して端子部５７９が基板ボックス５６２外に露出状態となっている。そして、この端子部５７９には、コマンド信号（指令信号）用のケーブルコネクタＣ４が接続される（図１４等参照）。ケーブルコネクタＣ４の他方は、表示制御装置４５の端子部６５８が接続される。図１４等からも分かる通り、本実施形態では、サブ制御装置５６０の端子部５７９と、表示制御装置４５の端子部６５８とが比較的近い位置に設けられており、ケーブルコネクタＣ４として比較的ケーブル長の短いものを採用している。これは所謂「ぶら下げ」等の不正行為を抑制するためである。表示制御装置４５の端子部６５８が本実施形態における第３の端子部に相当し、サブ制御基板５６１の端子部５７９が第４の端子部に相当する。従って、ケーブルコネクタＣ４は本実施形態における第１の指令信号用のケーブルコネクタを構成する。
【０１００】
さて、図５の説明に戻り、遊技盤３０の裏面には、フレームカバー２１３の下方にて、裏枠セット２１５が取付けられている。この裏枠セット２１５は、第１制御基板ユニット２０１の取付台として機能するとともに、図示は省略するが、各種入賞口に入賞した遊技球を回収するための球回収機構を備えている。
【０１０１】
第１制御基板ユニット２０１の下方に位置する第２制御基板ユニット２０２には、図７に示すように前記裏枠セット２１５の球回収機構の下方位置において排出通路部２１７が形成されており、該排出通路部２１７には排出球をパチンコ機１０外部へ排出する排出シュート２１８が形成されている。従って、一般入賞口３１等に入賞した遊技球は何れも裏枠セット２１５の球回収機構を介して集合し、さらに排出通路部２１７の排出シュート２１８を介してパチンコ機１０外部に排出される。なお、アウト口３６も同様に排出通路部２１７に通じており、何れの入賞口にも入賞しなかった遊技球も排出シュート２１８を介してパチンコ機１０外部に排出される。
【０１０２】
ここで、装飾図柄表示装置４２、表示制御装置４５及びサブ制御装置５６０をユニット化したもの（以下、表示装置組付体という）を上記フレームカバー２１３に取付け、センターフレーム４７と一体化して、可変表示装置ユニット３５とする手順について説明する。取付順序としては、まず表示装置組付体をフレームカバー２１３に対して傾斜させ、ユニットカバー６５４の下部の側壁部６５６に形成された位置決め部材６９０を、フレームカバー２１３に形成された下側受部６９１（図５参照）に挿入しつつ、表示装置組付体を徐々に垂直状態にしていき、フレームカバー２１３に嵌め込んでいく。そして、表示装置組付体が完全に嵌め込まれた状態で、ユニットカバー６５４の上部の側壁部６５６に形成されたスライドバー６９２を操作して外方向へスライドさせる。そして、スライドバー６９２の先が、フレームカバー２１３に形成されたバー受部６９３（図５参照）に差込まれ係合される。このようにして、表示装置組付体はフレームカバー２１３に固定された状態となるとともに、センターフレーム４７と一体化した状態となる。
【０１０３】
さらに、遊技盤３０の裏面には、各種入賞口などの遊技球の通過を検出するための入球検出手段としての検出スイッチなどが設けられている。具体的には、図４に示すように、遊技盤３０表側の一般入賞口３１に対応する位置には入賞口スイッチ２２１が設けられ、可変入賞装置３２にはカウントスイッチ２２３が設けられている。カウントスイッチ２２３は可変入賞装置３２に入賞した遊技球をカウントするスイッチである。また、第１契機対応口３３に対応する位置には第１契機対応口（始動口）スイッチ２２４が設けられ、第２契機対応口３４に対応する位置には第２契機対応口（ゲート）スイッチ２２５が設けられている。
【０１０４】
入賞口スイッチ２２１、カウントスイッチ２２３及び第２契機対応口（ゲート）スイッチ２２５は、ケーブルコネクタを介して図示しない第１盤面中継基板に接続され、さらにこの第１盤面中継基板が後述する主基板２６２（主制御装置２６１）にケーブルコネクタＣ６を介して接続されている（図１４等参照）。これに対し、第１契機対応口（始動口）スイッチ２２４は中継基板を経ることなく直接主基板２６２にケーブルコネクタＣ５を介して接続されている（図１４等参照）。
【０１０５】
その他図示は省略するが、可変入賞装置３２には、大入賞口を開放するための駆動手段としての大入賞口ソレノイドが設けられ、第１契機対応口３３には、電動役物を開放するための駆動手段としての第１契機対応口（始動口）ソレノイドが設けられている。これら大入賞口ソレノイド及び第１契機対応口（始動口）ソレノイドはケーブルコネクタを介して図示しない第２盤面中継基板に接続され、さらにこの第２盤面中継基板がやはりケーブルコネクタＣ７を介して主基板２６２に接続されている（図１４等参照）。
【０１０６】
上記検出スイッチにて各々検出された検出結果は、後述する主基板２６２（主制御装置２６１）に取り込まれ、該主基板２６２よりその都度の入賞状況に応じた払出指令（遊技球の払出個数）が払出制御基板３１１ａ（図８参照）に送信される。そして、該払出制御基板３１１ａの出力により所定数の遊技球の払出しが実施される。本実施形態のパチンコ機１０では、各種入賞口毎に遊技球の入賞を電気的に感知して払出しが直ちに行われる。
【０１０７】
さて、第１制御基板ユニット２０１に設けられた主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板２６２（図８参照）を具備しており、この主基板２６２が透明樹脂材料等よりなる基板ボックス２６３に収容されて構成されている。基板ボックス２６３が本実施形態における主基板ボックスを構成する。
【０１０８】
なお、基板ボックス２６３は、略直方体形状のボックスベース２６５と該ボックスベース２６５を覆うボックスカバー２６６とを備えている（図６等参照）。
【０１０９】
また、これらボックスベース２６５とボックスカバー２６６とは左右の封印ユニット２６４Ａ，２６４Ｂによって連結されており、基板ボックス２６３が開封された場合には、封印ユニット２６４Ａ，２６４Ｂにおいて所定の痕跡が残るよう構成されている。これにより、基板ボックス２６３が不正に開封された旨を容易に発見することができる。封印ユニット２６４Ａ，２６４Ｂによって本実施形態における封印手段が構成される。
【０１１０】
封印ユニット２６４Ａ，２６４Ｂはボックスベース２６５とボックスカバー２６６とを開封不能に連結する構成であれば任意の構成が適用できるが、本実施形態では左側の封印ユニット２６４Ａは３つの封印部材が連結された構成となっており、右側の封印ユニット２６４Ｂは２つの封印部材が連結された構成となっている。そして、これら封印部材の長孔に係止爪を挿入することでボックスベース２６５とボックスカバー２６６とが開封不能に連結されるようになっている。封印ユニット２６４Ａ，２６４Ｂによる封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット２６４Ａ，２６４Ｂを構成する３つ又は２つの封印部材のうち、少なくとも一つの封印部材の長孔に係止爪を挿入することにより封印処理が行われる。そして、収容した主基板２６２の不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨を容易に発見できる。
【０１１１】
また、図５、図６に示すように、主基板２６２の上縁部近傍には、各種ケーブルコネクタのコネクタを接続するための複数の端子部（基板側コネクタ）７０１，７０２，７０３，７０４が左右方向に沿って並設されている。各端子部７０１〜７０４は、主基板２６２に突出形成されており、ボックスカバー２６６の上部に形成された凹部（退避部）２６６ａに開口した孔部を介して基板ボックス２６３外に露出状態となっている。
【０１１２】
図１４，１５に示すように、端子部７０１には、第１契機対応口スイッチ２２４に繋がるケーブルコネクタＣ５が接続される。端子部７０２には、サブ中継基板５７０に接続されるケーブルコネクタＣ３が接続される。端子部７０３には、入賞口スイッチ２２１等との中継機能を果たす上記第１盤面中継基板に繋がるケーブルコネクタＣ６が接続される。端子部７０４には、大入賞口ソレノイドや第１契機対応口ソレノイド等との中継機能を果たす上記第２盤面中継基板に繋がるケーブルコネクタＣ７が接続される。
【０１１３】
また、主基板２６２の下縁部近傍にも、各種ケーブルコネクタのコネクタを接続するための複数の端子部（基板側コネクタ）７０５，７０６が設けられている。各端子部７０５，７０６は、主基板２６２に突出形成されており、ボックスカバー２６６の下部に開口した孔部を介して基板ボックス２６３外に露出状態となっている。
【０１１４】
端子部７０５には、電源供給用のケーブルコネクタＣ８が接続される。ケーブルコネクタＣ８の他方は、電源装置３１３の端子部５９１に接続される。
【０１１５】
端子部７０６には、コマンド信号用のケーブルコネクタＣ９が接続される。ケーブルコネクタＣ９の他方は、払出制御装置３１１の端子部５９２が接続される。これにより、ケーブルコネクタＣ９を介して、主制御装置２６１から払出制御装置３１１に対しコマンドが送信される。
【０１１６】
なお、図１４等からも分かる通り、本実施形態では、主基板２６２の端子部７０２と、サブ中継基板５７０の端子部５７３とが比較的近い位置に設けられており、ケーブルコネクタＣ３として比較的ケーブル長の短いものを採用している。これは所謂「ぶら下げ」等の不正行為を抑制するためである。なお、主基板２６２の端子部７０２が本実施形態における第５の端子部を構成し、サブ中継基板５７０の端子部５７３が第６の端子部を構成する。また、ケーブルコネクタＣ３が第２の指令信号用のケーブルコネクタを構成する。
【０１１７】
さらに、本実施形態では、主基板２６２とサブ中継基板５７０とを接続するケーブルコネクタＣ３の取外しを防止するためのケーブル保持ユニット８００が設けられている（図１４等参照）。
【０１１８】
図１２，１３，１６等に示すように、ケーブル保持ユニット８００は、ボックスカバー５６４の下部において凹部５７４に隣接して形成された取付凹部８０１に取着されている。図１６は、ケーブル保持ユニット８００を説明するための図１０のＫ−Ｋ線部分断面図である。
【０１１９】
ケーブル保持ユニット８００は、ユニット本体８０２と、４本の結束バンド８０３とから構成されている。
【０１２０】
ユニット本体８０２には、略平板状の基部８０５と、当該基部８０５に直交する側壁部８０６とからなり、断面略Ｌ字状に形成されている。基部８０５の裏側には、一対の係止爪８０７が突出形成されている。
【０１２１】
これに対応して、取付凹部８０１は、ユニット本体８０２の取付状態において、当該ユニット本体８０２の基部８０５が当接する底部８０９と、ユニット本体８０２の側壁部８０６が相対向する側壁部８１０とを備えている。
【０１２２】
底部８０９には、係止爪８０７が差し込まれる一対の差込み孔８１１が形成されている。そして、係止爪８０７が差込み孔８１１に差し込まれ、底部８０９の裏側に係止されることで、ケーブル保持ユニット８００が取付凹部８０１に対し固定される。ボックスカバー５６４が取外されない限り、係止爪８０７の係止状態を解除できないため、通常時においては、ケーブル保持ユニット８００は、実質上、取外し不能に固定された状態となる。
【０１２３】
結束バンド８０３は、使用時においてユニット本体８０２に固定される頭部８１３と、当該頭部８１３から延出した帯状のバンド部８１４とから構成されている。バンド部８１４は、軟質の合成樹脂材料により形成されており、可撓性を有している。
【０１２４】
ユニット本体８０２には、側壁部８０６において、結束バンド８０３の頭部８１３が固定される固定孔８１５が形成されるとともに、基部８０５において、バンド部８１４が挿通される挿通孔８１６が形成されている。固定孔８１５及び挿通孔８１６は、４つの結束バンド８０３に対応して、それぞれ４つずつ設けられている。
【０１２５】
なお、結束バンド８０３の頭部８１３には、断面略Ｖ字状に屈曲形成された係止部としての鉤爪部８１３ａが形成されている。これに対応して、固定孔８１５内には、被係止部となる突起部８１５ａが形成されている。そして、結束バンド８０３の使用時には、当該結束バンド８０３の頭部８１３の鉤爪部８１３ａを固定孔８１５内に押し込み、突起部８１５ａに係止することにより、当該結束バンド８０３の頭部８１３がユニット本体８０２に対し離脱不能に固定される。
【０１２６】
また、ユニット本体８０２の基部８０５の裏面には、各バンド部８１４に沿うように４本の溝部８１９が形成されている。これに対応して、取付凹部８０１の側壁部８１０にも、ユニット本体８０２の溝部８１９に連なる溝部８２０が形成されている。これにより、ケーブル保持ユニット８００の取付け状態においては、ユニット本体８０２の溝部８１９と取付凹部８０１の底部８０９との間、及び、ユニット本体８０２の側壁部８０６と取付凹部８０１の溝部８２０との間にバンド部８１４が挿通される挿通路が形成されることとなる。そして、この挿通路を介して、バンド部８１４の自由端側が外部に突出した状態となっている。
【０１２７】
また、取付凹部８０１の底部８０９には、ユニット本体８０２の各溝部８１９と相対向する位置において、それぞれ薄肉の金属片８２２が取着されている。金属片８２２の側壁部８１０側（図１６右側）の端部には、当該端部が断面略く字状に溝部８１９側へ屈曲されることによって、弾性を有した係合片部８２２ａが形成されている。
【０１２８】
一方、結束バンド８０３のバンド部８１４には、取付凹部８０１の底部８０９と対向する側において、複数の係合突起部８２５が鋸刃状に形成されている。各係合突起部８２５は、バンド部８１４の長手方向（図１６左右方向）に対し傾斜した傾斜面と、バンド部８１４の長手方向に対し直交した直立面とを備えている。前記傾斜面は、バンド部８１４の自由端側（図１６右側）に位置し、前記直立面は、バンド部８１４の固定端側（図１６左側）すなわち頭部８１３側に位置している。
【０１２９】
ケーブル保持ユニット８００によってケーブルコネクタＣ３を保持する手順としては、先ずユニット本体８０２の基部８０５上にケーブルコネクタＣ３を配置した後、４本の結束バンド８０３のうちの１本によってケーブルコネクタＣ３を巻き込みつつ、上述したように当該結束バンド８０３の頭部８１３をユニット本体８０２に対し固定する。
【０１３０】
次に、当該結束バンド８０３のバンド部８１４の自由端側を引っ張り、締め付ける。この際、金属片８２２の係合片部８２２ａは、バンド部８１４の移動に伴い複数の係合突起部８２５の傾斜面と摺接を繰り返すことで連続して撓むため、バンド部８１４の移動が許容される。
【０１３１】
バンド部８１４をある程度、締め付けると、バンド部８１４は自身又は頭部８１３の復元力により固定端側へ戻ろうとする。この際には、金属片８２２の係合片部８２２ａの先端が、バンド部８１４の所定の係合突起部８２５の直立面に引っ掛かる。これにより、バンド部８１４はそれ以上固定端側へ移動できなくなり、ケーブルコネクタＣ３を保持した状態で、バンド部８１４の取外しが不能な状態となる。
【０１３２】
従って、ケーブルコネクタＣ３を取外そうとした場合には、必然的に結束バンド８０３を切断しなければならない。つまり、ケーブルコネクタＣ３が取外された場合には、ケーブル保持ユニット８００において結束バンド８０３の切断といった所定の痕跡が残るようになっている。これにより、ケーブルコネクタＣ３が不正に取外された旨を容易に発見することができる。結果として、ケーブル保持ユニット８００によりケーブルコネクタＣ３を保持することによって、ケーブルコネクタＣ３に対し封印処理を行ったのと同等の効果が奏される。
【０１３３】
このケーブル保持ユニット８００による封印処理は、その封印後のケーブルコネクタＣ３の不正な取外しを防止し、また万一不正に取外しが行われてもそのような事態を早期に且つ容易に発見可能とするものであって、一旦取外された後でも再度封印処理を行うことが可能である。すなわち、４本の結束バンド８０３のうちの１本により封印処理が行われるとともに、ケーブルコネクタＣ３の不具合などによりケーブルコネクタＣ３を取外す場合には、当該結束バンド８０３を切断する。その後、新たに封印処理を行う場合には、他の結束バンド８０３を用いて上記同様の手順で行えばよい。従って、本実施形態では、４回まで封印処理を行うことができる。
【０１３４】
さて、裏枠セット２１５に取付けられる第１制御基板ユニット２０１のベース部２０１ａは、主制御装置２６１を搭載する基板搭載部２０１ｂが、裏枠セット２１５から離間した状態で設けられており、両者間には隙間が形成されている。つまり、第１制御基板ユニット２０１を遊技盤３０（裏枠セット２１５）に装着した状態では、基板搭載部２０１ｂの後方にスペースが確保され、可変入賞装置３２やその電気配線等が無理なく設置できるようになっている。さらに、図１４等に示すように、サブ中継基板５７０と電源装置３１３とを繋ぐ電源供給用のケーブルコネクタＣ１が、この隙間を通っている。このため、当該ケーブルコネクタＣ１により主制御装置２６１が覆われて、当該主制御装置２６１の内部の視認性が妨げられないようになっている。結果として、不正行為等の早期発見が可能となる。
【０１３５】
さて、図７の説明に戻り、第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板３１１ａ（図８参照）により、賞品球や貸出球の払出が制御される。また、発射制御装置３１２の発射制御基板により、遊技者によるハンドル１８の操作に従い発射装置等の制御が行われ、電源装置３１３の電源基板３１３ａ（図８参照）により、各種制御装置等で要する所定の電源電圧が生成され出力される。
【０１３６】
上記払出制御装置３１１、発射制御装置３１２及び電源装置３１３についても、それぞれに対応する制御基板が基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【０１３７】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【０１３８】
また、払出制御基板３１１ａの上縁部近傍にも、各種ケーブルコネクタのコネクタを接続するための複数の端子部（基板側コネクタ）５９２，５９３が設けられている。各端子部５９２，５９３は、払出制御基板３１１ａに突出形成されており、基板ボックス３１５の上部に開口した孔部を介して基板ボックス３１５外に露出状態となっている。
【０１３９】
端子部５９２は、上述したようにケーブルコネクタＣ９を介して主制御装置２６１の端子部７０６と電気的に接続される。
【０１４０】
一方、端子部５９３には、電源供給用のケーブルコネクタＣ１０が接続される。ケーブルコネクタＣ１０の他方は、電源装置３１３の図示しない端子部に接続される。
【０１４１】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【０１４２】
次に、裏パックユニット２０３の構成を説明する。裏パックユニット２０３は、樹脂成形された裏パック３５１と遊技球の払出機構部３５２とを一体化したものである。
【０１４３】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖されかつ前面及び下面が開放された形状をなし、少なくとも可変表示装置ユニット３５を囲むのに十分な大きさを有する。但し、本実施形態では、主制御装置２６１の一部も合わせて覆う構成となっている。保護カバー部３５４により、後述する上部のタンク３５５等から落下してくる遊技球等から可変表示装置ユニット３５が保護される。
【０１４４】
また、保護カバー部３５４の背面には多数の通気孔３５４ａが設けられている。但し、表示制御装置４５の冷却ファン６７５の後方位置には通気孔３５４ａが設けられていない。これは、表示制御装置４５内への塵や埃等の異物の侵入を抑制するためである。これに対し、表示制御装置４５の傾斜壁部６６５及び斜め排気口６６６の後方位置には、当該斜め排気口６６６の排気性能を低下させることのないよう、排気孔として機能する前記通気孔３５４ａが設けられている。また、上記端子部７０２等に接続されるケーブルコネクタＣ３等への不正行為を抑制するために、端子部７０２等の後方位置には通気孔３５４ａが設けられていない。そして、裏パック３５１（裏パックユニット２０３）の閉鎖状態では、端子部７０２等に接続されたケーブルコネクタＣ３等のコネクタの抜け方向側を覆うようにして、保護カバー部３５４が配されることとなる。
【０１４５】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【０１４６】
また、払出機構部３５２には、払出制御装置３１１から払出装置３５８への払出指令の信号を中継する払出中継基板３８１が設置されると共に、外部より電源装置３１３に対し主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【０１４７】
次に、パチンコ機１０の電気的構成について説明する。図８は、本パチンコ機１０の電気的構成を示すブロック図である。パチンコ機１０の主制御装置２６１（主基板２６２）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【０１４８】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【０１４９】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１５０】
かかるＲＯＭ５０２及びＲＡＭ５０３を内蔵したＣＰＵ５０１には、アドレスバス、データバス及び電源ライン等で構成されるバスライン５０４を介して入出力ポート５０５及び電源ポート５０７が接続されている。勿論、電源ラインがバスライン５０４から独立して配された構成であってもよい（他の基板の回路構成でも同様）。なお、入出力ポート５０５は、上記端子部７０１〜７０４や端子部７０６等によって構成され、電源ポート５０７は上記端子部７０５によって構成される。
【０１５１】
入出力ポート５０５には、後述するＲＡＭ消去スイッチ回路５４３、払出制御装置３１１、サブ中継基板５７０などが接続されている。その他、便宜上、図示は省略するが、上記第１契機対応口スイッチ２２４等の各種検出スイッチや、上記第１盤面中継基板等の各種基板などの各種電気部品が接続されている。
【０１５２】
また、サブ中継基板５７０は、上述したように主制御装置２６１の入出力ポート５０５と接続されるとともに、サブ制御装置５６０の入出力ポート５５４，電源ポート５５６、及び表示制御装置４５の電源ポート５３３に接続されている。なお、サブ制御装置５６０の入出力ポート５５４は上記コネクタ５７８により構成され、電源ポート５５６はコネクタ５７７により構成される。また、サブ中継基板５７０は、普通図柄表示装置４１及び特別表示装置４３とも電気的に接続されている。
【０１５３】
サブ制御装置５６０（サブ制御基板５６１）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン（電源ラインを含む）５５５、電源ポート５５６を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１５４】
入出力ポート５５４及び電源ポート５５６には、バスライン５５５を介してＣＰＵ５５１、ＲＯＭ５５２、ＲＡＭ５５３が接続されている。さらに、入出力ポート５５４には、表示制御装置４５、スピーカＳＰ、各種電飾部及びランプ１０２〜１０４等が接続されている。
【０１５５】
サブ制御装置５６０のＣＰＵ５５１は、例えばサブ中継基板５７０を介して主制御装置２６１から送信される指令信号（例えば変動パターンコマンド）に基づいて表示制御装置４５に表示制御を実行させ、装飾図柄表示装置４２に表示させる。さらに、サブ制御装置５６０は、音声やランプ表示の制御を司る。なお、上記のように、本実施形態では、主制御装置２６１が制御する特別表示装置４３にて大当たりか否かを表示するようになっており、サブ制御装置５６０が制御する装飾図柄表示装置４２では、前記特別表示装置４３の表示に合わせた表示が行われる。
【０１５６】
また、払出制御装置３１１（払出制御基板３１１ａ）は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１５７】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【０１５８】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【０１５９】
かかるＲＯＭ５１２及びＲＡＭ５１３を内蔵したＣＰＵ５１１には、アドレスバス、データバス及び電源ライン等で構成されるバスライン５１４を介して入出力ポート５１５及び電源ポート５１７が接続されている。なお、入出力ポート５１５は、上記端子部５９２によって構成され、電源ポート５１７は上記端子部５９３によって構成されている。
【０１６０】
入出力ポート５１５には、ＲＡＭ消去スイッチ回路５４３、主制御装置２６１、発射制御装置３１２、払出モータ３５８ａなどがそれぞれ接続されている。そして、発射制御装置３１２や払出モータ３５８ａなどへの電源供給も、この払出制御装置３１１を介して行われる。
【０１６１】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【０１６２】
表示制御装置４５は、サブ制御装置５６０からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン（電源ラインを含む）５３０，５３１と、電源ポート５３３とを備えている。入力ポート５２７にはサブ制御装置５６０の入出力ポート５５４が接続されている。
【０１６３】
入力ポート５２７及び電源ポート５３３には、バスライン５３０を介して、ＣＰＵ５２１、プログラムＲＯＭ５２２、ワークＲＡＭ５２３、ＶＤＰ５２６が接続されている。なお、入力ポート５２７は上記端子部６５８により構成され、電源ポート５３３は端子部６５９により構成される。
【０１６４】
また、ＶＤＰ５２６にはバスライン５３１を介して出力ポート５２９が接続されており、その出力ポート５２９には液晶表示装置たる装飾図柄表示装置４２が接続されている。そして、装飾図柄表示装置４２への電源供給も、この表示制御装置４５を介して行われる。なお、出力ポート５２９は上記端子部６５７により構成される。
【０１６５】
表示制御装置４５のＣＰＵ５２１は、サブ制御装置５６０から送信される表示コマンド（指令信号）を入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行う。
【０１６６】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１６７】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１６８】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１６９】
また、電源装置３１３（電源基板３１３ａ）は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１７０】
電源部５４１は、上記ケーブルコネクタＣ１等の電気経路を通じて、主制御装置２６１や払出制御装置３１１等に対して各々に必要な動作電源（駆動電力）を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。
【０１７１】
上述したように、電源部５４１は、主制御装置２６１の電源ポート５０７や、払出制御装置３１１の電源ポート５１７に接続されるとともに、サブ中継基板５７０を介してサブ制御装置５６０の電源ポート５５６や、表示制御装置４５の電源ポート５３３に接続されている。
【０１７２】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１７３】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１７４】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１７５】
以上詳述したように、本実施形態では、サブ中継基板５７０の端子部５７２と表示制御装置４５の端子部６５９とに接続される電源供給用のケーブルコネクタＣ２が、冷却ファン６７５用のファンダクト部６６３の下コーナー部に引っ掛けられることにより、ＶＤＰ５２６の設置範囲を迂回するように配線されている。このため、ケーブルコネクタＣ２を流れる電流に起因した電磁誘導ノイズ等が、ＶＤＰ５２６に混入することを抑制することができる。勿論、ケーブルコネクタＣ２は、下側へ迂回されているため、ＶＤＰ５２６の上方に配置されたＣＰＵ５２１への電磁誘導ノイズ等の混入を抑制することもできる。結果として、装飾図柄表示装置４２の画面におけるちらつきや瞬断等といった不具合の発生を抑制することができる。
【０１７６】
また、サブ制御装置５６０の端子部５７９と表示制御装置４５の端子部６５８とに接続されるコマンド信号用のケーブルコネクタＣ４、及び、主基板２６２の端子部７０２とサブ中継基板５７０の端子部５７３とに接続されるケーブルコネクタＣ３として比較的ケーブル長の短いものを採用しているため、所謂「ぶら下げ」等の不正行為が行われにくい。さらに、ケーブルコネクタＣ４に関しては、他のケーブルコネクタから離間した位置に配線され、見やすくなっているため、上記不正行為が行われたか否かを判別しやすくなる。
【０１７７】
なお、上述した実施形態の記載内容に限定されず、例えば次のように実施してもよい。
【０１７８】
（ａ）上記実施形態では、ケーブルコネクタを迂回させる構成を表示制御装置４５に対し適用した構成を例示しているが、これに限らず、例えばサブ制御装置５６０など他の制御装置に適用してもよい。
【０１７９】
（ｂ）各種制御装置等の配置構成も上記実施形態に限定されるものではなく、異なる配置構成を採用してもよい。
【０１８０】
（ｃ）上記実施形態では、電源供給用と指令信号用の中継基板を一体化したサブ中継基板５７０を備えた構成となっているが、これに限らず、それぞれ個別の中継基板を備えた構成としてもよい。また、中継基盤を省略し、各基板が直接的にケーブルコネクタによって接続される構成としてもよい。また、サブ中継基板５７０を、サブ制御装置５６０の基板ボックス５６２とは別の基板ボックスに収容した構成としてもよい。この場合、サブ制御基板５６１及びサブ中継基板５７０もケーブルコネクタにより接続されることとなる。
【０１８１】
（ｄ）上記実施形態では、ケーブルコネクタを迂回させる迂回手段として、冷却ファン６７５用のファンダクト部６６３を利用しているが、迂回手段はこれに限定されるものではない。例えば、ユニットカバー６５４に突起部を一体形成し、これにケーブルコネクタを引っ掛けることにより、迂回手段としてもよい。また、別体で形成した部材を迂回手段としてユニットカバー６５４に取付ける構成としてもよい。また、ケーブルコネクタの配線経路（迂回経路）に沿って、ユニットカバー６５４に迂回手段となる溝部を形成した構成としてもよい。
【０１８２】
（ｅ）上記実施形態では、迂回手段によって避ける対象が、ＶＤＰ５２６やＣＰＵ５２１の演算手段であるが、これに限らず、例えばプログラムＲＯＭ５２２、ワークＲＡＭ５２３、ビデオＲＡＭ５２４、キャラクタＲＯＭ５２５などといった他の電子部品の設置範囲を避けるように迂回手段を設けた構成としてもよい。
【０１８３】
（ｆ）上記実施形態とは異なるタイプのパチンコ機として実施してもよい。また、パチンコ機以外にも、アレンジボール機、それに類する雀球等の各種遊技機、スロットマシン等の回胴式遊技機、スロットマシンとパチンコ機とを融合した形式の遊技機などとして実施してもよい。
【符号の説明】
【０１８４】
１０…パチンコ機、４２…装飾図柄表示装置、４５…表示制御装置、２６１…主制御装置、３１３…電源装置、３１３ａ…電源基板、５２１…ＣＰＵ、５２６…ＶＤＰ、５６０…サブ制御装置、５６１…サブ制御基板、５７０…サブ中継基板、６５０…表示制御基板、６６３…ファンダクト部、６５４…ユニットカバー、６７５…冷却ファン、８００…ケーブル保持ユニット、Ｃ１〜Ｃ１０…ケーブルコネクタ。
【図１】
2015131206.tif 000003
【図２】
2015131206.tif 000004
【図３】
2015131206.tif 000005
【図４】
2015131206.tif 000006
【図５】
2015131206.tif 000007
【図６】
2015131206.tif 000008
【図７】
2015131206.tif 000009
【図８】
2015131206.tif 000010
【図９】
2015131206.tif 000011
【図１０】
2015131206.tif 000012
【図１１】
2015131206.tif 000013
【図１２】
2015131206.tif 000014
【図１３】
2015131206.tif 000015
【図１４】
2015131206.tif 000016
【図１５】
2015131206.tif 000017
【図１６】
2015131206.tif 000018
【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
所定の契機に基づき抽選を行い、当該抽選により当選結果が得られた場合には遊技者にとって有利な特別遊技状態を発生させる遊技機であって、
遊技に関する所定の制御を行う制御基板と、
前記制御基板を収容した基板ボックスと、
前記基板ボックスの外部を通って、所定の第１の端子部と、所定の第２の端子部とに接続されるケーブルコネクタとを備え、
前記制御基板に実装された電子部品のうち特定の電子部品の設置範囲が、当該制御基板の実装面に直交する実装面直交方向から見て、前記第１の端子部と前記第２の端子部とを結ぶ線上に交わった構成であって、
前記実装面直交方向から見て、前記特定の電子部品の設置範囲外に、前記ケーブルコネクタを迂回させる迂回手段となる溝部を備えたことを特徴とする遊技機。
【請求項２】
前記遊技機は、パチンコ機、回胴式遊技機、又は、球使用式遊技機であることを特徴とする請求項１に記載の遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機等の遊技機に関するものである。
【背景技術】
【０００２】
従来、パチンコ機等の遊技機の背面側には、遊技に関わる各種制御を行う各種制御装置や、遊技球を払出す払出機構、各部に電源を供給する電源装置などが上下左右に並べられるようにして配設されている。
【０００３】
加えて、遊技機背面側には、例えば制御装置同士を電気的に接続するコマンド送受信用のケーブルコネクタや、制御装置と電源装置とを電気的に接続する電源供給用のケーブルコネクタなども数多く配線されている（例えば特許文献１参照）。このため、場合によっては、基板ボックスの表面に沿って、すなわち各種電子部品が実装された制御基板の実装面に並行してケーブルコネクタが配設されてしまう場合もある。
【先行技術文献】
【特許文献】
【０００４】
【特許文献１】特開２００７−１１７７５９号公報
【発明の概要】
【発明が解決しようとする課題】
【０００５】
ところが、制御基板上の電子部品を跨ぐようにケーブルコネクタが配線されている場合には、当該ケーブルコネクタからノイズ等が前記電子部品に混入し、制御対象機器ひいては遊技機に悪影響を及ぼすことも懸念される。
【０００６】
なお、上記例示した課題等は、遊技機背面側等に限らず、限られた設置スペースの中で制御装置など数多くの機器が設置される他の遊技機にも該当する問題である。すなわち、上記パチンコ機に限らず、スロットマシン等の他の遊技機にも該当する問題である。
【０００７】
本発明は、上記例示した課題等を解決するためになされたものであり、その目的は、制御基板上の電子部品にノイズが混入することを抑制し、制御装置の誤作動等を抑制することのできる遊技機を提供することにある。
【課題を解決するための手段】
【０００８】
上記の目的を達成するため、本発明に係る遊技機は、
所定の契機に基づき抽選を行い、当該抽選により当選結果が得られた場合には遊技者にとって有利な特別遊技状態を発生させる遊技機であって、
遊技に関する所定の制御を行う制御基板と、
前記制御基板を収容した基板ボックスと、
前記基板ボックスの外部を通って、所定の第１の端子部と、所定の第２の端子部とに接続されるケーブルコネクタとを備え、
前記制御基板に実装された電子部品のうち特定の電子部品の設置範囲が、当該制御基板の実装面に直交する実装面直交方向から見て、前記第１の端子部と前記第２の端子部とを結ぶ線上に交わった構成であって、
前記実装面直交方向から見て、前記特定の電子部品の設置範囲外に、前記ケーブルコネクタを迂回させる迂回手段となる溝部を備えたことをその要旨としている。
【発明の効果】
【０００９】
本発明の遊技機によれば、制御基板上の電子部品にノイズが混入することを抑制し、制御装置の誤作動等を抑制することができる。
【図面の簡単な説明】
【００１０】
【図１】一実施形態におけるパチンコ機を示す正面図である。
【図２】パチンコ機の斜視図である。
【図３】内枠及び前面枠セットを開放した状態を示す斜視図である。
【図４】内枠及び遊技盤の構成を示す正面図である。
【図５】遊技盤の構成を示す背面図である。
【図６】遊技盤の構成を示す斜視図である。
【図７】パチンコ機の構成を示す背面図である。
【図８】電気的構成を示すブロック図である。
【図９】装飾図柄表示装置及び表示制御装置の分解斜視図である。
【図１０】サブ制御装置が載置された状態を示す、装飾図柄表示装置及び表示制御装置の背面図である。
【図１１】サブ制御装置が載置された状態を示す、装飾図柄表示装置及び表示制御装置を上方から見た斜視図である。
【図１２】サブ制御装置が載置された状態を示す、装飾図柄表示装置及び表示制御装置を下方から見た斜視図である。
【図１３】ケーブル保持ユニットが取外された状態を示す、サブ制御装置、装飾図柄表示装置及び表示制御装置の斜視図である。
【図１４】各種ケーブルコネクタが配線された状態を示す遊技盤の背面図である。
【図１５】各種ケーブルコネクタが配線された状態を示す遊技盤の背面斜視図である。
【図１６】ケーブル保持ユニットを説明するための図１０のＫ−Ｋ線部分断面図である。
【発明を実施するための形態】
【００１１】
上述したように、従来、パチンコ機等の遊技機の背面側には、遊技に関わる各種制御を行う各種制御装置や、遊技球を払出す払出機構、各部に電源を供給する電源装置などが上下左右に並べられるようにして配設されている。制御装置としては、例えば遊技の統括的な制御を行う主制御装置、遊技球の払出装置を制御する払出制御装置、表示演出を行うための表示装置を制御する表示制御装置、スピーカやランプ等を制御する音声ランプ制御装置等が配設されている。
【００１２】
近年では、制御装置のメイン制御部を構成する中央処理装置（ＣＰＵ）等の電子部品の高性能化や制御用データ量の増加に伴い、制御基板に実装される各種電子部品が増加傾向にあるため、制御基板ひいては当該制御基板を収納する樹脂ケース（基板ボックス）のサイズも大型化する傾向にある。例えば、表示装置として液晶表示装置などが採用されており、この液晶表示部が興趣の向上を図るために徐々に大型化される傾向にあるため、これに一体的に組付けられる表示制御装置の大きさも液晶表示部に比例して大きくなってきている。そのため、遊技機背面側において表示装置（表示制御装置）が占める占有面積も大きくなってきており、他の制御装置は、上記表示装置の設置スペースを避けるように設置しなければならず、設置しづらくなってきているのが現状である。
【００１３】
加えて、遊技機背面側には、例えば制御装置同士を電気的に接続するコマンド送受信用のケーブルコネクタや、制御装置と電源装置とを電気的に接続する電源供給用のケーブルコネクタなども数多く配線されている（例えば特許文献１参照）。このため、場合によっては、制御装置に接続されるケーブルコネクタの中には、自身の基板ボックスの表面に沿って、すなわち各種電子部品が実装された制御基板の実装面に並行してケーブルコネクタが配設されてしまう場合もある。
【００１４】
ところが、制御基板上の電子部品を跨ぐように電源供給用のケーブルコネクタが配線されている場合には、当該ケーブルコネクタを流れる電流に起因した電磁誘導ノイズ等が前記電子部品に混入し、制御対象機器ひいては遊技機に悪影響を及ぼすことも懸念される。
【００１５】
上述したように、近年では、演出機能の多様化などにより、制御基板には、より高性能な電子部品が搭載されるようになってきている。例えば、液晶表示装置などを制御する表示制御基板には、処理速度の速いＣＰＵや画像処理装置（ＶＤＰ）など演算手段が搭載され、より多彩な表示演出が可能となっている。このような表示制御基板のＣＰＵや画像処理装置（ＶＤＰ）などにノイズが混入すると、液晶表示部のちらつきや瞬断等が生じるおそれがある。勿論、表示制御基板に限らず、他の制御基板に関しても制御対象機器の不具合としてノイズの影響がでるおそれがある。
【００１６】
なお、上記課題は、遊技機背面側等に限らず、限られた設置スペースの中で制御装置など数多くの機器が設置される他の遊技機にも該当する問題である。すなわち、上記パチンコ機に限らず、スロットマシン等の他の遊技機にも該当する問題である。
【００１７】
本発明は、上記課題を解決するためになされたものであり、その目的は、制御基板上の電子部品にノイズが混入することを抑制し、制御装置の誤作動等を抑制することのできる遊技機を提供することにある。
【００１８】
以下、上記課題等を解決するのに適した各手段を項分けして説明する。なお、必要に応じて対応する手段に特有の作用効果等を付記する。
【００１９】
手段１．所定の契機に基づき抽選を行い、当該抽選により当選結果が得られた場合には遊技者にとって有利な特別遊技状態を発生させる遊技機であって、
遊技に関する所定の制御を行う制御基板と、
前記制御基板を収容した基板ボックスと、
前記制御基板に対し電源供給する電源基板と、
前記基板ボックスの外部を通って、前記制御基板に設けられた第１の端子部と、前記電源基板又は当該電源基板に電気的に接続された中継基板に設けられた第２の端子部とに接続される電源供給用のケーブルコネクタ（ハーネス）とを備え、
前記制御基板に実装された電子部品のうち特定の電子部品の設置範囲が、当該制御基板の実装面に直交する実装面直交方向から見て、前記第１の端子部と前記第２の端子部とを結ぶ線上に交わった構成であって、
前記実装面直交方向から見て、前記特定の電子部品の設置範囲外に、前記電源供給用のケーブルコネクタを迂回させる迂回手段を備えたことを特徴とする遊技機。
【００２０】
上記手段１によれば、特定の電子部品を避けるように電源供給用のケーブルコネクタを配線することができるため、当該ケーブルコネクタを流れる電流に起因した電磁誘導ノイズ等が特定の電子部品に混入することを抑制し、制御基板の誤作動等を抑制することができる。結果として、制御対象機器ひいては遊技機に悪影響を及ぼすといった不具合が低減される。
【００２１】
手段２．前記迂回手段を前記基板ボックスに一体形成したことを特徴とする手段１に記載の遊技機。
【００２２】
上記手段２によれば、部品点数の削減を図ることができる。
【００２３】
手段３．前記特定の電子部品に向けて送風する送風手段を備えるとともに、
前記基板ボックスは、前記実装面直交方向から見た少なくとも前記特定の電子部品の設置範囲を含む領域が外側に膨出しかつ内側に前記送風手段を収容する膨出部を備え、
前記膨出部を前記迂回手段としたことを特徴とする手段１に記載の遊技機。
【００２４】
上記手段３によれば、送風手段を備えることにより、例えばＣＰＵ等の高熱を発する電子部品など特定の電子部品に対し、基板ボックス内の空気よりも冷たい外気を集中的に送風し、当該電子部品を効率良く冷却することができる。結果として、効率よく特定の電子部品を適正温度に保つことができる。
【００２５】
さらに、送風手段を収容する膨出部を迂回手段として利用することにより、迂回手段として新たな部材を別途設ける必要もなく、構成の簡素化を図ることができる。加えて、膨出部が少なくとも特定の電子部品の設置範囲を含む領域に設けられているため、より確実に特定の電子部品を迂回させる迂回手段として機能することとなる。
【００２６】
手段４．前記特定の電子部品は、演算処理を行う演算手段であることを特徴とする手段１乃至３のいずれかに記載の遊技機。
【００２７】
上記手段４によれば、ＣＰＵやＶＤＰなどの演算手段は、ノイズの影響を大きく受けるため、上記手段１の作用効果がより奏効することとなる。
【００２８】
手段５．前記制御基板は、所定の表示手段を制御する表示制御基板であることを特徴とする手段１乃至４のいずれかに記載の遊技機。
【００２９】
上記手段５によれば、表示制御基板上の電子部品がノイズの影響を受けると、表示手段のちらつきや瞬断等といった不具合が発生し、遊技者に対し与える影響が大きくなるため、上記手段１の作用効果がより奏効することとなる。
【００３０】
手段６．前記制御基板との間で指令信号の送信及び受信の少なくとも一方を行う第２の制御基板と、
前記第２の制御基板を収容した第２の基板ボックスと、
前記基板ボックス及び前記第２の基板ボックスの外部を通って、前記制御基板に設けられた第３の端子部と、前記第２の制御基板に設けられた第４の端子部とに接続される指令信号用のケーブルコネクタ（ハーネス）とを備え、
前記指令信号用のケーブルコネクタの配線経路と、前記電源供給用のケーブルコネクタの配線経路とを離間させたことを特徴とする手段１乃至５のいずれかに記載の遊技機。
【００３１】
仮に指令信号用のケーブルコネクタと、電源供給用のケーブルコネクタとを重ね合わせて配線した場合には、電源供給用のケーブルコネクタからの影響により指令信号用のケーブルコネクタにノイズが乗り、上記同様に制御基板の誤作動等といった不具合が発生するおそれがある。これに対し、手段６のように、両者を離間することにより、このような不具合の発生を低減することができる。
【００３２】
また、近年では、ケーブルコネクタや、当該ケーブルコネクタの接続用コネクタが接続される制御基板の端子部に別途の基板を接続する、所謂「ぶら下げ」と称される行為などの悪質行為が行われることがある。この点、上記手段６によれば、指令信号用のケーブルコネクタが、電源供給用のケーブルコネクタと離間して見やすくなっているため、上記不正行為が行われたか否かを判別しやすくなる。
【００３３】
手段７．前記第３の端子部と前記第４の端子部との距離を、少なくとも前記第１の端子部と前記第２の端子部との距離よりも短く設定したことを特徴とする手段６に記載の遊技機。
【００３４】
上記手段７によれば、第３の端子部と第４の端子部との距離が、少なくとも第１の端子部と第２の端子部との距離よりも短く設定されている。つまり、指令信号用のケーブルコネクタとして、そのケーブル長が、少なくとも電源供給用のケーブルコネクタよりも短いものを利用できる。指令信号用のケーブルコネクタのケーブル長が比較的長い場合には、上記「ぶら下げ」等の不正行為が行われやすくなることが懸念されるが、上記手段７によれば、指令信号用のケーブルコネクタを比較的短く設定できるため、不正行為の抑止効果をさらに高めることができる。
【００３５】
手段８．所定の契機に基づき抽選を行い、当該抽選により当選結果が得られた場合には遊技者にとって有利な特別遊技状態を発生させる遊技機であって、
遊技の統括的な制御を行う主制御基板と、当該主制御基板からの指令信号に基づき所定の制御を行う第１副制御基板と、当該第１副制御基板からの指令信号に基づき所定の制御を行う第２副制御基板とを備え、
各種電子部品の実装された前記各制御基板の実装面が同一方向を向くように、前記主制御基板を収容した主基板ボックスの上方位置において、前記第１副制御基板を収容した第１副基板ボックスと、前記第２副制御基板を収容した第２副基板ボックスとが前後に重畳して配置され、
前記主基板ボックスの下方位置において、前記各制御基板に対し電源供給する電源基板を備え、
前記第１副制御基板の下方位置において、前記第２副基板ボックスに重畳配置されるとともに、前記各制御基板の実装面に直交する前後方向に見て、前記第２副制御基板に実装された電子部品のうちの特定の電子部品の設置範囲よりも左右方向一方側（例えば左側）に配置された中継基板を備え、
前記第１副制御基板及び前記第２副制御基板が、前記中継基板を介して、前記電源基板から電源供給を受ける構成とし、
前記第２副制御基板に関しては、当該第２副制御基板のうち前記特定の電子部品の設置範囲よりも左右方向他方側（例えば右側）に設けられた第１の端子部と、前記中継基板に設けられた第２の端子部とに接続される電源供給用のケーブルコネクタ（ハーネス）を介して前記中継基板から電源供給を受けるとともに、
前記第２副制御基板のうち前記特定の電子部品の設置範囲よりも左右方向他方側に設けられた第３の端子部と、前記第１副制御基板に設けられた第４の端子部とに接続される第１の指令信号用のケーブルコネクタ（ハーネス）を介して前記第１副制御基板から指令信号を受信する構成とし、
前記特定の電子部品の設置範囲よりも下側へ、前記電源供給用のケーブルコネクタを迂回させる迂回手段を備えるとともに、
前記第１の指令信号用のケーブルコネクタの配線経路を、前記特定の電子部品の設置範囲よりも上側にとることにより、前記電源供給用のケーブルコネクタの配線経路と離間させた構成とし、
前記主制御基板に設けられた第５の端子部と、前記中継基板に設けられた第６の端子部とに接続される第２の指令信号用のケーブルコネクタ（ハーネス）を備えることにより、前記第１副制御基板が前記中継基板を介して前記主制御基板から指令信号を受信する構成としたことを特徴とする遊技機。
【００３６】
上記手段８によれば、手段１や手段６と同様の作用効果が奏される。従って、上記手段２乃至５や、手段７と同様の構成を従属構成として採用することができる。
【００３７】
さらに、手段８では、第１及び第２の指令信号用のケーブルコネクタの両方を比較的短く設定できるため、手段７と同様の不正行為抑止効果を得ることができるとともに、電源供給用と指令信号用の中継基板の一体化を図り、部品点数の増加抑制及び基板配置構成の簡素化を図ることができる。
【００３８】
以下に、上記各手段が適用される各種遊技機の基本構成を示す。
【００３９】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【００４０】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【００４１】
Ｃ．上記各手段における前記遊技機、又は、上記各弾球遊技機は、パチンコ機又はパチンコ機に準ずる遊技機であること。
【００４２】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【００４３】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【００４４】
以下、パチンコ遊技機（以下、単に「パチンコ機」という）の一実施形態を、図面に基づいて詳細に説明する。ここで、図１はパチンコ機１０の正面図であり、図２は斜視図である。また、図３は、内枠１２及び前面枠セット１４を開放した状態を示す斜視図である。但し、図３では便宜上、遊技盤３０面上に配設される釘や役物、前面枠セット１４に取付けられるガラスユニット１３７などを省略して示している。
【００４５】
図１乃至図３に示すように、パチンコ機１０は、当該パチンコ機１０の外郭を構成する外枠１１を備えており、この外枠１１の一側部に内枠１２が開閉可能に支持されている。外枠１１は、例えば木製の板材により全体として矩形状に構成され、小ネジ等の離脱可能な締結具により各板材が組み付けられている。
【００４６】
外枠１１の左辺部には、上ヒンジ８１及び下ヒンジ８２が設けられている。当該上ヒンジ８１及び下ヒンジ８２にて、内枠１２の上下部が回動可能に支持されており、これにより内枠１２が開閉可能に支持される。また、便宜上、図示は省略するが、外枠１１の右辺部には、後述する施錠装置６００の係止部材が係止される上下一対の受け金具が取付けられている。さらに、外枠１１下部には、樹脂製の幕板飾り８５が取着されている。
【００４７】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００４８】
また、内枠１２の前面側には、前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００４９】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００５０】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００５１】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００５２】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００５３】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００５４】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図８参照）が設けられるとともに、当該スピーカＳＰの前側にスピーカカバー２４が取着されている。
【００５５】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００５６】
次に、内枠１２（樹脂ベース３８）について図４を参照して説明する。図４は、内枠及び遊技盤の構成を示す正面図である。
【００５７】
上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００５８】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００５９】
また、図３に示すように、内枠１２の右側部背面側には施錠装置６００が設けられている。施錠装置６００は、前面枠セット１４の前面側に露出するシリンダ錠７００を備えており、該シリンダ錠７００の鍵穴に鍵を挿入し、一方に回動操作することで内枠１２を解錠でき、他方に回動操作することで前面枠セット１４及び裏パックユニット２０３を解錠できるようになっている。本実施形態では、内枠１２は外枠１１に対し施錠され、前面枠セット１４及び裏パックユニット２０３は内枠１２に対し施錠される。
【００６０】
次に、遊技盤３０の構成について図４を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、入球手段としての各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００６１】
また、第１契機対応口３３へ遊技球が入球したことを契機として大当たり抽選が行われ、当該大当たり抽選により当選結果が得られた場合には特別遊技状態としての大当たり状態が発生する。
【００６２】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００６３】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００６４】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００６５】
装飾図柄表示装置４２は、液晶表示装置であって、後述するサブ制御装置５６０によって表示内容が制御される。すなわち、装飾図柄表示装置４２においては、特別表示装置４３にて表示される結果に対応させるように、主制御装置２６１からのコマンド（指令信号）に基づき、サブ制御装置５６０によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。センターフレーム４７内には、各種ＬＥＤ等の発光手段や、当該ＬＥＤ等を駆動するＬＥＤ制御基板なども配設されている。
【００６６】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００６７】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００６８】
内レール構成部５１の先端部分には戻り球防止部材５３が取着されている。これにより、一旦、レール５０から遊技盤３０の上部へと案内された遊技球が再度レール５０内に戻ってしまうといった事態が防止される。
【００６９】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００７０】
次に、パチンコ機１０の背面構成について図５〜図７を参照して説明する。図５は、遊技盤の構成を示す背面図であり、図６はその斜視図である。また、図７は、パチンコ機の構成を示す背面図である。
【００７１】
パチンコ機１０の背面には、各種制御基板が上下左右に並べられるようにして、一部前後に重ねられるようにして配置されている。さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主制御基板としての主基板だけを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。なお、第１制御基板ユニット２０１、第２制御基板ユニット２０２及び裏パックユニット２０３は、ユニット単位で着脱できるよう構成されており、さらに、一部に支軸部を設けて内枠１２又は遊技盤３０の裏面に対して開閉できる構成となっている。
【００７２】
まず、遊技盤３０の背面構成について説明する。上述したように遊技盤３０の中央にはルータ加工によって形成された貫通穴に対して可変表示装置ユニット３５が配設されている。
【００７３】
可変表示装置ユニット３５の後部には、センターフレーム４７を背後から覆う樹脂製のフレームカバー２１３が後方に突出して設けられている。但し、本実施形態では、センターフレーム４７が遊技盤３０の前面側に固定され、フレームカバー２１３が遊技盤３０の裏面に固定されることによって、可変表示装置ユニット３５として一体化される構成となっている。そして、このフレームカバー２１３の後端に、液晶表示装置たる装飾図柄表示装置４２と表示制御装置４５とが前後に重ね合わされ一体化（ユニット化）された状態で取付けられている。さらに、表示制御装置４５の背面側にはサブ制御装置５６０が取付けられている。
【００７４】
ここで、まず装飾図柄表示装置４２及び表示制御装置４５の構造についてより詳しく説明する。
【００７５】
図９に示すように、ユニット化された装飾図柄表示装置４２及び表示制御装置４５では、樹脂材料等よりなる略長方形状のベースプレート６４５の前側に表示手段としての装飾図柄表示装置４２が配設され、ベースプレート６４５の後側に表示制御装置４５が配設されている。
【００７６】
ベースプレート６４５の前面側には、装飾図柄表示装置４２の本体部となる液晶表示器（液晶パネル）６４７が配設されている。液晶表示器６４７は、表示器として液晶を用いたディスプレイであり、略長方形状をなす薄板状に形成されている。
【００７７】
さらに、液晶表示器６４７の前面には、当該液晶表示器６４７を保護するための透明な保護パネル６４８が配設されている。
【００７８】
また、ベースプレート６４５の前面側には、液晶表示器６４７及び保護パネル６４８を重ね合わせた状態で係り止める窓枠フレーム６４９が配設される。窓枠フレーム６４９は後述するユニットカバー６５４に係止される。
【００７９】
一方、表示制御装置４５は、各種電子部品が実装された表示制御基板６５０を具備しており、この表示制御基板６５０がベースプレート６４５の背面側に取付けられている。そして、ベースプレート６４５の背面側には、透明樹脂材料等よりなるユニットカバー６５４が表示制御基板６５０を覆うように取付けられている。従って、ベースプレート６４５及びユニットカバー６５４により表示制御基板６５０を収容する基板ボックスが構成される。表示制御基板６５０が本実施形態における制御基板又は第２副制御基板に相当し、これを収容する前記基板ボックスが基板ボックス又は第２副基板ボックスに相当する。
【００８０】
ユニットカバー６５４は、表示制御基板６５０の実装面と相対向して略平坦に形成された略長方形状の背壁部６５５と、当該背壁部６５５の周縁部に沿って形成された上下左右の側壁部６５６とから形成されており、ベースプレート６４５側が開口面となった略箱形状に形成されたものである。
【００８１】
ユニットカバー６５４の背壁部６５５には、表示制御基板６５０に設けられた端子部（基板側コネクタ）６５８，６５９を外部に露出させるための端子部窓６６０が形成されている。この端子部窓６６０を介して表示制御装置４５の外側から表示制御基板６５０の端子部６５８，６５９への後述するケーブルコネクタＣ２，Ｃ４のコネクタ等の抜き差しが可能となる。
【００８２】
ユニットカバー６５４の上下左右の側壁部６５６には、それぞれ通気用の小孔群６６２が開口形成されている。本実施形態では、これらの小孔群６６２が排気口として機能する。なお、図１１等からも分かるとおり、小孔群６６２を構成する小孔には、小さな円形小孔６６２ａと、より大きな長孔６６２ｂの２種類がある。これは故障等の発生防止や不正防止の観点からであり、異物等が接触してほしくない電子部品が側壁部６５６の近傍に配置されている場合には当該箇所に対応して円形小孔６６２ａが設けられる。また、後述するＣＰＵ５２１やＶＤＰ５２６など、より重要な電子部品が側壁部６５６の近傍に配置されている場合などには、小孔群６６２が形成されないようにしてもよい。
【００８３】
なお、図５〜７からも分かるように、パチンコ機１０には、背面側の限られた設置スペースの中に多くの機器が設置されている。このため、各種機器が隣接して配設されている。例えば、表示制御装置４５の下方に主制御装置２６１が隣接して配置されている。図５に示すように、本実施形態では両者の設置間隔が比較的狭いため、十分な通気スペースが確保できず、ユニットカバー６５４の下側の側壁部６５６の小孔群６６２（図１２参照）からは効率よく排気を行うことができないことも懸念される。これに鑑み、本実施形態では、図１２に示すように、ユニットカバー６５４の下部の所定箇所、具体的には後述する冷却ファン６７５の下方位置にて、背壁部６５５と下側の側壁部６５６との連接部分に傾斜壁部６６５を形成するとともに、当該傾斜壁部６６５において斜め排気口６６６を形成した。下側の側壁部６５６の小孔群６６２に加えて、このような構成を採用することで、表示制御装置４５の後方又は斜め後方に向けて排気できるため、放熱性能の低下を抑制することができる。
【００８４】
さらに、背壁部６５５には、後述する冷却ファン６７５に対応して、後方へ突出したファンダクト部６６３が形成されている。ファンダクト部６６３の頂部には通気孔６６４が形成されている。本実施形態では、通気孔６６４が冷却用の外気を導入するための吸気口として機能する。
【００８５】
表示制御基板６５０には、後述するようなＣＰＵ５２１、プログラムＲＯＭ５２２、ワークＲＡＭ５２３、ビデオＲＡＭ５２４、キャラクタＲＯＭ５２５、ＶＤＰ５２６などの各種電子部品が実装されている。また、表示制御基板６５０は、端子部６５７を介して図示しないケーブルコネクタにより液晶表示器６４７（装飾図柄表示装置４２）と電気的に接続されている。
【００８６】
さらに、本実施形態では、表示制御基板６５０上において、発熱量の多い集積回路であるＣＰＵ５２１及びＶＤＰ５２６により発せられる熱を放熱するためのヒートシンク（放熱板）６７０が載置されている。
【００８７】
本実施形態におけるヒートシンク６７０は、熱伝導率のよいアルミニウム合金等により略平板状に形成されている。このうち、ＣＰＵ５２１及びＶＤＰ５２６に対応する領域が曲げ加工により段差状の当接部６７１となっており、当該当接部６７１の裏面がＣＰＵ５２１及びＶＤＰ５２６に面接触している。従って、ＣＰＵ５２１及びＶＤＰ５２６により発せられた熱は、ヒートシンク６７０側に伝導され、ヒートシンク６７０から放熱される。その結果、ＣＰＵ５２１及びＶＤＰ５２６が冷却される。本実施形態におけるヒートシンク６７０では、多数の放熱フィン等が省略されているため、表示制御装置４５部分を比較的薄型に形成することができる。
【００８８】
なお、図示は省略するが、ＣＰＵ５２１及びＶＤＰ５２６の上面には、非導電性で伝熱性能のよいシリコンゴム板が貼付けられている。つまり、ＣＰＵ５２１及びＶＤＰ５２６と、ヒートシンク６７０の当接部６７１は、シリコンゴム板を介して当接している。このシリコンゴム板は、熱伝導率の高い成分を含むと共に弾性を有する薄いゴム板である。これにより、ＣＰＵ５２１及びＶＤＰ５２６と、ヒートシンク６７０の当接部６７１は隙間なく密着される。もちろん、これに限らず、シリコングリスや伝熱性テープ等の非導電性の伝熱性緩衝体を介して当接することとしてもよい。
【００８９】
さらに、ヒートシンク６７０には、当接部６７１の後方位置において、当該当接部６７１を介してＶＤＰ５２６と対向するように送風手段としての冷却ファン６７５が取付けられている。この冷却ファン６７５は、ユニットカバー６５４の組付け時において上述したファンダクト部６６３内に差込まれた状態となる。
【００９０】
なお、ファンダクト部６６３は、表示制御基板６５０の実装面に直交する方向（実装面直交方向）から見た少なくともＶＤＰ５２６の設置範囲を含む領域が外側に膨出することにより形成されている。また、ＶＤＰ５２６の設置範囲は、実装面直交方向から見て、表示制御基板６５０の上記端子部６５９と、後述のサブ中継基板５７０の端子部５７２とを結ぶ線上に交わっている（図１０参照）。従って、表示制御基板６５０の端子部６５９が本実施形態における第１の端子部に相当し、サブ中継基板５７０の端子部５７２が第２の端子部に相当する。また、ＶＤＰ５２６は本実施形態における特定の電子部品，演算手段に相当し、ファンダクト部６６３は膨出部を構成する。
【００９１】
冷却ファン６７５は、薄型の軸流式のものであって、ハウジング内に、複数の羽根からなるファンと、当該ファンを駆動するモータとが収容されている。冷却ファン６７５には、表示制御基板６５０を介して駆動電力が供給される。
【００９２】
上記構成により、冷却ファン６７５を駆動すると、ファンダクト部６６３を介して吸い込まれた外気がユニットカバー６５４（表示制御装置４５）内へ導入され、ヒートシンク６７０に吹き付けられる。そして、当該外気は、ヒートシンク６７０との間で熱交換がなされた後、ユニットカバー６５４内を通り、上下左右の側壁部６５６の小孔群６６２や、傾斜壁部６６５の斜め排気口６６６より外部に排出される。これにより、ＣＰＵ５２１及びＶＤＰ５２６が冷却される。
【００９３】
上記のように構成された装飾図柄表示装置４２及び表示制御装置４５は、上記窓枠フレーム６４９と上記ユニットカバー６５４とを組付けることにより一体化（ユニット化）される。より詳しくは、窓枠フレーム６４９には複数の係止爪６４９ａが形成され、これに対応してユニットカバー６５４には前記係止爪６４９ａが係止される係止孔６８３が形成されている。そして、窓枠フレーム６４９及びユニットカバー６５４が係止されることで略箱状のハウジングが構成され、この中に装飾図柄表示装置４２及び表示制御装置４５が収容されて一体化された状態となる。
【００９４】
さらに、背面右上及び左下の２箇所の係止孔６８３にはそれぞれ封止部材６８６が嵌め込まれている。封止部材６８６は一旦嵌め込まれると取外し不能となるとともに、係止爪６４９ａの弾性変形を規制する。これにより窓枠フレーム６４９及びユニットカバー６５４が開封不能に連結された状態となる。但し、封止部材６８６を切断する等して取外すことにより、窓枠フレーム６４９及びユニットカバー６５４は開封可能となる。従って、封止部材６８６による封止処理は、その封止後の不正な開封を防止し、また万一不正開封が行われてもそのような事態を早期に且つ容易に発見可能とする。
【００９５】
さて、本実施形態では、図１０〜１３に示すように、ユニットカバー６５４の背壁部６５５にはサブ制御装置５６０が載置されている。図１０は、ユニットカバー６５４にサブ制御装置５６０が載置された状態を示す上記ユニット（装飾図柄表示装置４２及び表示制御装置４５）の背面図であり、図１１，１２はその斜視図である。また、図１３は、サブ制御装置５６０から後述するケーブル保持ユニット８００が取外された状態を示す上記ユニットの斜視図である。
【００９６】
サブ制御装置５６０は、後述するように主制御装置２６１（主基板２６２）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板５６１を具備しており、このサブ制御基板５６１が透明樹脂材料等よりなる基板ボックス５６２に収容されて構成されている。サブ制御基板５６１が本実施形態における第２の制御基板又は第１副制御基板に相当し、基板ボックス５６２が第２の基板ボックス又は第１副基板ボックスに相当する。
【００９７】
基板ボックス５６２は、ボックスベース５６３と該ボックスベース５６３を覆うボックスカバー５６４とからなる。
【００９８】
ボックスベース５６３の裏面には、図示しない係合爪部が形成されており、当該係合爪部が上記ユニットカバー６５４の背壁部６５５に形成された係合孔部６８４（図９参照）に係合されることによりサブ制御装置５６０（基板ボックス５６２）が固定される。
【００９９】
また、ボックスベース５６３上には、サブ中継基板５７０が搭載されており、後述する電源基板３１３ａより供給される電源がこのサブ中継基板５７０を介してサブ制御装置５６０及び表示制御装置４５に供給されるようになっている。サブ中継基板５７０が本実施形態における中継基板に相当する。
【０１００】
より詳しくは、サブ中継基板５７０には、後述する各種ケーブルコネクタのコネクタを接続するための複数の端子部（基板側コネクタ）５７１，５７２，５７３が左右方向に沿って並設されている。各端子部５７１〜５７３は、サブ中継基板５７０に突出形成されている。これに対応してサブ制御装置５６０のボックスカバー５６４の下部には凹部（退避部）５７４が形成さている。そして、当該凹部５７４に開口した孔部を介して端子部５７１，５７２，５７３が基板ボックス５６２外に露出状態となっている。
【０１０１】
図７，図１４，図１５に示すように、端子部５７１には、電源供給用のケーブルコネクタＣ１が接続される。ケーブルコネクタＣ１の他方は、電源装置３１３の端子部（基板側コネクタ）５９０に接続される。図１４は、各種ケーブルコネクタが配線された状態を示す遊技盤３０の背面図であり、図１５は、その斜視図である。なお、図５，６等においては便宜上、各ケーブルコネクタの図示を省略するとともに、図７，図１４，１５においてのみ、主要なケーブルコネクタＣ１〜Ｃ１０を図示しているが、勿論、パチンコ機１０にはこの他にも多数のケーブルコネクタが配線される。
【０１０２】
端子部５７２には、電源供給用のケーブルコネクタＣ２が接続される。ケーブルコネクタＣ２の他方は、表示制御装置４５の端子部６５９に接続される。つまり、サブ中継基板５７０を介して表示制御装置４５へ電源供給がなされる。なお、ケーブルコネクタＣ２は、図１４等を見て分かるとおり、ファンダクト部６６３の下コーナー部に引っ掛けられることにより、サブ中継基板５７０の端子部５７２から表示制御装置４５の端子部６５９までの直線経路ではなく、ＶＤＰ５２６の設置範囲を迂回するように配線されている。つまり、ファンダクト部６６３が本実施形態における迂回手段を構成する。
【０１０３】
端子部５７３には、コマンド信号（指令信号）用のケーブルコネクタＣ３が接続される。ケーブルコネクタＣ３の他方は、主制御装置２６１の端子部７０２が接続される。
【０１０４】
また、図１０に示すように、サブ中継基板５７０の上縁部には、差込部となるコネクタ５７５，５７６が上方向に向け突設され、これに対応するサブ制御基板５６１の下縁部には、前記コネクタ５７５，５７６に対向するようにして差込口となるコネクタ５７７，５７８が下方向に向け突設されている。そして、サブ制御基板５６１及びサブ中継基板５７０をボックスベース５６３上に搭載するに際して、サブ中継基板５７０側のコネクタ５７５，５７６が、サブ制御基板５６１側のコネクタ５７７，５７８に差込まれることにより両者が電気的に接続される。コネクタ５７５，５７７は電源供給用であり、コネクタ５７６，５７８はコマンド信号（指令信号）用である。つまり、サブ中継基板５７０を介して、主制御装置２６１からサブ制御装置５６０に対しコマンド（指令信号）が送信される。
【０１０５】
なお、サブ中継基板５７０には、普通図柄表示装置４１及び特別表示装置４３も電気的に接続されている（図８参照）。そして、主制御装置２６１は、普通図柄表示装置４１及び特別表示装置４３に対し、ケーブルコネクタＣ３すなわちサブ中継基板５７０を介して制御信号等を出力する。従って、普通図柄表示装置４１及び特別表示装置４３は、サブ制御基板５６１を介さず、主制御装置２６１により直接的に制御される。
【０１０６】
一方、装飾図柄表示装置４２は、サブ制御装置５６０（サブ制御基板５６１）を介して制御される。より詳しくは、サブ制御基板５６１の上部右端部近傍には、コマンド信号（指令信号）用の端子部（基板側コネクタ）５７９が突設されている。これに対応してサブ制御装置５６０のボックスカバー５６４の上部右端部近傍には開口部５８０が形成され、当該開口部５８０を介して端子部５７９が基板ボックス５６２外に露出状態となっている。そして、この端子部５７９には、コマンド信号（指令信号）用のケーブルコネクタＣ４が接続される（図１４等参照）。ケーブルコネクタＣ４の他方は、表示制御装置４５の端子部６５８が接続される。図１４等からも分かる通り、本実施形態では、サブ制御装置５６０の端子部５７９と、表示制御装置４５の端子部６５８とが比較的近い位置に設けられており、ケーブルコネクタＣ４として比較的ケーブル長の短いものを採用している。これは所謂「ぶら下げ」等の不正行為を抑制するためである。表示制御装置４５の端子部６５８が本実施形態における第３の端子部に相当し、サブ制御基板５６１の端子部５７９が第４の端子部に相当する。従って、ケーブルコネクタＣ４は本実施形態における第１の指令信号用のケーブルコネクタを構成する。
【０１０７】
さて、図５の説明に戻り、遊技盤３０の裏面には、フレームカバー２１３の下方にて、裏枠セット２１５が取付けられている。この裏枠セット２１５は、第１制御基板ユニット２０１の取付台として機能するとともに、図示は省略するが、各種入賞口に入賞した遊技球を回収するための球回収機構を備えている。
【０１０８】
第１制御基板ユニット２０１の下方に位置する第２制御基板ユニット２０２には、図７に示すように前記裏枠セット２１５の球回収機構の下方位置において排出通路部２１７が形成されており、該排出通路部２１７には排出球をパチンコ機１０外部へ排出する排出シュート２１８が形成されている。従って、一般入賞口３１等に入賞した遊技球は何れも裏枠セット２１５の球回収機構を介して集合し、さらに排出通路部２１７の排出シュート２１８を介してパチンコ機１０外部に排出される。なお、アウト口３６も同様に排出通路部２１７に通じており、何れの入賞口にも入賞しなかった遊技球も排出シュート２１８を介してパチンコ機１０外部に排出される。
【０１０９】
ここで、装飾図柄表示装置４２、表示制御装置４５及びサブ制御装置５６０をユニット化したもの（以下、表示装置組付体という）を上記フレームカバー２１３に取付け、センターフレーム４７と一体化して、可変表示装置ユニット３５とする手順について説明する。取付順序としては、まず表示装置組付体をフレームカバー２１３に対して傾斜させ、ユニットカバー６５４の下部の側壁部６５６に形成された位置決め部材６９０を、フレームカバー２１３に形成された下側受部６９１（図５参照）に挿入しつつ、表示装置組付体を徐々に垂直状態にしていき、フレームカバー２１３に嵌め込んでいく。そして、表示装置組付体が完全に嵌め込まれた状態で、ユニットカバー６５４の上部の側壁部６５６に形成されたスライドバー６９２を操作して外方向へスライドさせる。そして、スライドバー６９２の先が、フレームカバー２１３に形成されたバー受部６９３（図５参照）に差込まれ係合される。このようにして、表示装置組付体はフレームカバー２１３に固定された状態となるとともに、センターフレーム４７と一体化した状態となる。
【０１１０】
さらに、遊技盤３０の裏面には、各種入賞口などの遊技球の通過を検出するための入球検出手段としての検出スイッチなどが設けられている。具体的には、図４に示すように、遊技盤３０表側の一般入賞口３１に対応する位置には入賞口スイッチ２２１が設けられ、可変入賞装置３２にはカウントスイッチ２２３が設けられている。カウントスイッチ２２３は可変入賞装置３２に入賞した遊技球をカウントするスイッチである。また、第１契機対応口３３に対応する位置には第１契機対応口（始動口）スイッチ２２４が設けられ、第２契機対応口３４に対応する位置には第２契機対応口（ゲート）スイッチ２２５が設けられている。
【０１１１】
入賞口スイッチ２２１、カウントスイッチ２２３及び第２契機対応口（ゲート）スイッチ２２５は、ケーブルコネクタを介して図示しない第１盤面中継基板に接続され、さらにこの第１盤面中継基板が後述する主基板２６２（主制御装置２６１）にケーブルコネクタＣ６を介して接続されている（図１４等参照）。これに対し、第１契機対応口（始動口）スイッチ２２４は中継基板を経ることなく直接主基板２６２にケーブルコネクタＣ５を介して接続されている（図１４等参照）。
【０１１２】
その他図示は省略するが、可変入賞装置３２には、大入賞口を開放するための駆動手段としての大入賞口ソレノイドが設けられ、第１契機対応口３３には、電動役物を開放するための駆動手段としての第１契機対応口（始動口）ソレノイドが設けられている。これら大入賞口ソレノイド及び第１契機対応口（始動口）ソレノイドはケーブルコネクタを介して図示しない第２盤面中継基板に接続され、さらにこの第２盤面中継基板がやはりケーブルコネクタＣ７を介して主基板２６２に接続されている（図１４等参照）。
【０１１３】
上記検出スイッチにて各々検出された検出結果は、後述する主基板２６２（主制御装置２６１）に取り込まれ、該主基板２６２よりその都度の入賞状況に応じた払出指令（遊技球の払出個数）が払出制御基板３１１ａ（図８参照）に送信される。そして、該払出制御基板３１１ａの出力により所定数の遊技球の払出しが実施される。本実施形態のパチンコ機１０では、各種入賞口毎に遊技球の入賞を電気的に感知して払出しが直ちに行われる。
【０１１４】
さて、第１制御基板ユニット２０１に設けられた主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板２６２（図８参照）を具備しており、この主基板２６２が透明樹脂材料等よりなる基板ボックス２６３に収容されて構成されている。基板ボックス２６３が本実施形態における主基板ボックスを構成する。
【０１１５】
なお、基板ボックス２６３は、略直方体形状のボックスベース２６５と該ボックスベース２６５を覆うボックスカバー２６６とを備えている（図６等参照）。
【０１１６】
また、これらボックスベース２６５とボックスカバー２６６とは左右の封印ユニット２６４Ａ，２６４Ｂによって連結されており、基板ボックス２６３が開封された場合には、封印ユニット２６４Ａ，２６４Ｂにおいて所定の痕跡が残るよう構成されている。これにより、基板ボックス２６３が不正に開封された旨を容易に発見することができる。封印ユニット２６４Ａ，２６４Ｂによって本実施形態における封印手段が構成される。
【０１１７】
封印ユニット２６４Ａ，２６４Ｂはボックスベース２６５とボックスカバー２６６とを開封不能に連結する構成であれば任意の構成が適用できるが、本実施形態では左側の封印ユニット２６４Ａは３つの封印部材が連結された構成となっており、右側の封印ユニット２６４Ｂは２つの封印部材が連結された構成となっている。そして、これら封印部材の長孔に係止爪を挿入することでボックスベース２６５とボックスカバー２６６とが開封不能に連結されるようになっている。封印ユニット２６４Ａ，２６４Ｂによる封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット２６４Ａ，２６４Ｂを構成する３つ又は２つの封印部材のうち、少なくとも一つの封印部材の長孔に係止爪を挿入することにより封印処理が行われる。そして、収容した主基板２６２の不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨を容易に発見できる。
【０１１８】
また、図５、図６に示すように、主基板２６２の上縁部近傍には、各種ケーブルコネクタのコネクタを接続するための複数の端子部（基板側コネクタ）７０１，７０２，７０３，７０４が左右方向に沿って並設されている。各端子部７０１〜７０４は、主基板２６２に突出形成されており、ボックスカバー２６６の上部に形成された凹部（退避部）２６６ａに開口した孔部を介して基板ボックス２６３外に露出状態となっている。
【０１１９】
図１４，１５に示すように、端子部７０１には、第１契機対応口スイッチ２２４に繋がるケーブルコネクタＣ５が接続される。端子部７０２には、サブ中継基板５７０に接続されるケーブルコネクタＣ３が接続される。端子部７０３には、入賞口スイッチ２２１等との中継機能を果たす上記第１盤面中継基板に繋がるケーブルコネクタＣ６が接続される。端子部７０４には、大入賞口ソレノイドや第１契機対応口ソレノイド等との中継機能を果たす上記第２盤面中継基板に繋がるケーブルコネクタＣ７が接続される。
【０１２０】
また、主基板２６２の下縁部近傍にも、各種ケーブルコネクタのコネクタを接続するための複数の端子部（基板側コネクタ）７０５，７０６が設けられている。各端子部７０５，７０６は、主基板２６２に突出形成されており、ボックスカバー２６６の下部に開口した孔部を介して基板ボックス２６３外に露出状態となっている。
【０１２１】
端子部７０５には、電源供給用のケーブルコネクタＣ８が接続される。ケーブルコネクタＣ８の他方は、電源装置３１３の端子部５９１に接続される。
【０１２２】
端子部７０６には、コマンド信号用のケーブルコネクタＣ９が接続される。ケーブルコネクタＣ９の他方は、払出制御装置３１１の端子部５９２が接続される。これにより、ケーブルコネクタＣ９を介して、主制御装置２６１から払出制御装置３１１に対しコマンドが送信される。
【０１２３】
なお、図１４等からも分かる通り、本実施形態では、主基板２６２の端子部７０２と、サブ中継基板５７０の端子部５７３とが比較的近い位置に設けられており、ケーブルコネクタＣ３として比較的ケーブル長の短いものを採用している。これは所謂「ぶら下げ」等の不正行為を抑制するためである。なお、主基板２６２の端子部７０２が本実施形態における第５の端子部を構成し、サブ中継基板５７０の端子部５７３が第６の端子部を構成する。また、ケーブルコネクタＣ３が第２の指令信号用のケーブルコネクタを構成する。
【０１２４】
さらに、本実施形態では、主基板２６２とサブ中継基板５７０とを接続するケーブルコネクタＣ３の取外しを防止するためのケーブル保持ユニット８００が設けられている（図１４等参照）。
【０１２５】
図１２，１３，１６等に示すように、ケーブル保持ユニット８００は、ボックスカバー５６４の下部において凹部５７４に隣接して形成された取付凹部８０１に取着されている。図１６は、ケーブル保持ユニット８００を説明するための図１０のＫ−Ｋ線部分断面図である。
【０１２６】
ケーブル保持ユニット８００は、ユニット本体８０２と、４本の結束バンド８０３とから構成されている。
【０１２７】
ユニット本体８０２には、略平板状の基部８０５と、当該基部８０５に直交する側壁部８０６とからなり、断面略Ｌ字状に形成されている。基部８０５の裏側には、一対の係止爪８０７が突出形成されている。
【０１２８】
これに対応して、取付凹部８０１は、ユニット本体８０２の取付状態において、当該ユニット本体８０２の基部８０５が当接する底部８０９と、ユニット本体８０２の側壁部８０６が相対向する側壁部８１０とを備えている。
【０１２９】
底部８０９には、係止爪８０７が差し込まれる一対の差込み孔８１１が形成されている。そして、係止爪８０７が差込み孔８１１に差し込まれ、底部８０９の裏側に係止されることで、ケーブル保持ユニット８００が取付凹部８０１に対し固定される。ボックスカバー５６４が取外されない限り、係止爪８０７の係止状態を解除できないため、通常時においては、ケーブル保持ユニット８００は、実質上、取外し不能に固定された状態となる。
【０１３０】
結束バンド８０３は、使用時においてユニット本体８０２に固定される頭部８１３と、当該頭部８１３から延出した帯状のバンド部８１４とから構成されている。バンド部８１４は、軟質の合成樹脂材料により形成されており、可撓性を有している。
【０１３１】
ユニット本体８０２には、側壁部８０６において、結束バンド８０３の頭部８１３が固定される固定孔８１５が形成されるとともに、基部８０５において、バンド部８１４が挿通される挿通孔８１６が形成されている。固定孔８１５及び挿通孔８１６は、４つの結束バンド８０３に対応して、それぞれ４つずつ設けられている。
【０１３２】
なお、結束バンド８０３の頭部８１３には、断面略Ｖ字状に屈曲形成された係止部としての鉤爪部８１３ａが形成されている。これに対応して、固定孔８１５内には、被係止部となる突起部８１５ａが形成されている。そして、結束バンド８０３の使用時には、当該結束バンド８０３の頭部８１３の鉤爪部８１３ａを固定孔８１５内に押し込み、突起部８１５ａに係止することにより、当該結束バンド８０３の頭部８１３がユニット本体８０２に対し離脱不能に固定される。
【０１３３】
また、ユニット本体８０２の基部８０５の裏面には、各バンド部８１４に沿うように４本の溝部８１９が形成されている。これに対応して、取付凹部８０１の側壁部８１０にも、ユニット本体８０２の溝部８１９に連なる溝部８２０が形成されている。これにより、ケーブル保持ユニット８００の取付け状態においては、ユニット本体８０２の溝部８１９と取付凹部８０１の底部８０９との間、及び、ユニット本体８０２の側壁部８０６と取付凹部８０１の溝部８２０との間にバンド部８１４が挿通される挿通路が形成されることとなる。そして、この挿通路を介して、バンド部８１４の自由端側が外部に突出した状態となっている。
【０１３４】
また、取付凹部８０１の底部８０９には、ユニット本体８０２の各溝部８１９と相対向する位置において、それぞれ薄肉の金属片８２２が取着されている。金属片８２２の側壁部８１０側（図１６右側）の端部には、当該端部が断面略く字状に溝部８１９側へ屈曲されることによって、弾性を有した係合片部８２２ａが形成されている。
【０１３５】
一方、結束バンド８０３のバンド部８１４には、取付凹部８０１の底部８０９と対向する側において、複数の係合突起部８２５が鋸刃状に形成されている。各係合突起部８２５は、バンド部８１４の長手方向（図１６左右方向）に対し傾斜した傾斜面と、バンド部８１４の長手方向に対し直交した直立面とを備えている。前記傾斜面は、バンド部８１４の自由端側（図１６右側）に位置し、前記直立面は、バンド部８１４の固定端側（図１６左側）すなわち頭部８１３側に位置している。
【０１３６】
ケーブル保持ユニット８００によってケーブルコネクタＣ３を保持する手順としては、先ずユニット本体８０２の基部８０５上にケーブルコネクタＣ３を配置した後、４本の結束バンド８０３のうちの１本によってケーブルコネクタＣ３を巻き込みつつ、上述したように当該結束バンド８０３の頭部８１３をユニット本体８０２に対し固定する。
【０１３７】
次に、当該結束バンド８０３のバンド部８１４の自由端側を引っ張り、締め付ける。この際、金属片８２２の係合片部８２２ａは、バンド部８１４の移動に伴い複数の係合突起部８２５の傾斜面と摺接を繰り返すことで連続して撓むため、バンド部８１４の移動が許容される。
【０１３８】
バンド部８１４をある程度、締め付けると、バンド部８１４は自身又は頭部８１３の復元力により固定端側へ戻ろうとする。この際には、金属片８２２の係合片部８２２ａの先端が、バンド部８１４の所定の係合突起部８２５の直立面に引っ掛かる。これにより、バンド部８１４はそれ以上固定端側へ移動できなくなり、ケーブルコネクタＣ３を保持した状態で、バンド部８１４の取外しが不能な状態となる。
【０１３９】
従って、ケーブルコネクタＣ３を取外そうとした場合には、必然的に結束バンド８０３を切断しなければならない。つまり、ケーブルコネクタＣ３が取外された場合には、ケーブル保持ユニット８００において結束バンド８０３の切断といった所定の痕跡が残るようになっている。これにより、ケーブルコネクタＣ３が不正に取外された旨を容易に発見することができる。結果として、ケーブル保持ユニット８００によりケーブルコネクタＣ３を保持することによって、ケーブルコネクタＣ３に対し封印処理を行ったのと同等の効果が奏される。
【０１４０】
このケーブル保持ユニット８００による封印処理は、その封印後のケーブルコネクタＣ３の不正な取外しを防止し、また万一不正に取外しが行われてもそのような事態を早期に且つ容易に発見可能とするものであって、一旦取外された後でも再度封印処理を行うことが可能である。すなわち、４本の結束バンド８０３のうちの１本により封印処理が行われるとともに、ケーブルコネクタＣ３の不具合などによりケーブルコネクタＣ３を取外す場合には、当該結束バンド８０３を切断する。その後、新たに封印処理を行う場合には、他の結束バンド８０３を用いて上記同様の手順で行えばよい。従って、本実施形態では、４回まで封印処理を行うことができる。
【０１４１】
さて、裏枠セット２１５に取付けられる第１制御基板ユニット２０１のベース部２０１ａは、主制御装置２６１を搭載する基板搭載部２０１ｂが、裏枠セット２１５から離間した状態で設けられており、両者間には隙間が形成されている。つまり、第１制御基板ユニット２０１を遊技盤３０（裏枠セット２１５）に装着した状態では、基板搭載部２０１ｂの後方にスペースが確保され、可変入賞装置３２やその電気配線等が無理なく設置できるようになっている。さらに、図１４等に示すように、サブ中継基板５７０と電源装置３１３とを繋ぐ電源供給用のケーブルコネクタＣ１が、この隙間を通っている。このため、当該ケーブルコネクタＣ１により主制御装置２６１が覆われて、当該主制御装置２６１の内部の視認性が妨げられないようになっている。結果として、不正行為等の早期発見が可能となる。
【０１４２】
さて、図７の説明に戻り、第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板３１１ａ（図８参照）により、賞品球や貸出球の払出が制御される。また、発射制御装置３１２の発射制御基板により、遊技者によるハンドル１８の操作に従い発射装置等の制御が行われ、電源装置３１３の電源基板３１３ａ（図８参照）により、各種制御装置等で要する所定の電源電圧が生成され出力される。
【０１４３】
上記払出制御装置３１１、発射制御装置３１２及び電源装置３１３についても、それぞれに対応する制御基板が基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【０１４４】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【０１４５】
また、払出制御基板３１１ａの上縁部近傍にも、各種ケーブルコネクタのコネクタを接続するための複数の端子部（基板側コネクタ）５９２，５９３が設けられている。各端子部５９２，５９３は、払出制御基板３１１ａに突出形成されており、基板ボックス３１５の上部に開口した孔部を介して基板ボックス３１５外に露出状態となっている。
【０１４６】
端子部５９２は、上述したようにケーブルコネクタＣ９を介して主制御装置２６１の端子部７０６と電気的に接続される。
【０１４７】
一方、端子部５９３には、電源供給用のケーブルコネクタＣ１０が接続される。ケーブルコネクタＣ１０の他方は、電源装置３１３の図示しない端子部に接続される。
【０１４８】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【０１４９】
次に、裏パックユニット２０３の構成を説明する。裏パックユニット２０３は、樹脂成形された裏パック３５１と遊技球の払出機構部３５２とを一体化したものである。
【０１５０】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖されかつ前面及び下面が開放された形状をなし、少なくとも可変表示装置ユニット３５を囲むのに十分な大きさを有する。但し、本実施形態では、主制御装置２６１の一部も合わせて覆う構成となっている。保護カバー部３５４により、後述する上部のタンク３５５等から落下してくる遊技球等から可変表示装置ユニット３５が保護される。
【０１５１】
また、保護カバー部３５４の背面には多数の通気孔３５４ａが設けられている。但し、表示制御装置４５の冷却ファン６７５の後方位置には通気孔３５４ａが設けられていない。これは、表示制御装置４５内への塵や埃等の異物の侵入を抑制するためである。これに対し、表示制御装置４５の傾斜壁部６６５及び斜め排気口６６６の後方位置には、当該斜め排気口６６６の排気性能を低下させることのないよう、排気孔として機能する前記通気孔３５４ａが設けられている。また、上記端子部７０２等に接続されるケーブルコネクタＣ３等への不正行為を抑制するために、端子部７０２等の後方位置には通気孔３５４ａが設けられていない。そして、裏パック３５１（裏パックユニット２０３）の閉鎖状態では、端子部７０２等に接続されたケーブルコネクタＣ３等のコネクタの抜け方向側を覆うようにして、保護カバー部３５４が配されることとなる。
【０１５２】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【０１５３】
また、払出機構部３５２には、払出制御装置３１１から払出装置３５８への払出指令の信号を中継する払出中継基板３８１が設置されると共に、外部より電源装置３１３に対し主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【０１５４】
次に、パチンコ機１０の電気的構成について説明する。図８は、本パチンコ機１０の電気的構成を示すブロック図である。パチンコ機１０の主制御装置２６１（主基板２６２）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【０１５５】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【０１５６】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１５７】
かかるＲＯＭ５０２及びＲＡＭ５０３を内蔵したＣＰＵ５０１には、アドレスバス、データバス及び電源ライン等で構成されるバスライン５０４を介して入出力ポート５０５及び電源ポート５０７が接続されている。勿論、電源ラインがバスライン５０４から独立して配された構成であってもよい（他の基板の回路構成でも同様）。なお、入出力ポート５０５は、上記端子部７０１〜７０４や端子部７０６等によって構成され、電源ポート５０７は上記端子部７０５によって構成される。
【０１５８】
入出力ポート５０５には、後述するＲＡＭ消去スイッチ回路５４３、払出制御装置３１１、サブ中継基板５７０などが接続されている。その他、便宜上、図示は省略するが、上記第１契機対応口スイッチ２２４等の各種検出スイッチや、上記第１盤面中継基板等の各種基板などの各種電気部品が接続されている。
【０１５９】
また、サブ中継基板５７０は、上述したように主制御装置２６１の入出力ポート５０５と接続されるとともに、サブ制御装置５６０の入出力ポート５５４，電源ポート５５６、及び表示制御装置４５の電源ポート５３３に接続されている。なお、サブ制御装置５６０の入出力ポート５５４は上記コネクタ５７８により構成され、電源ポート５５６はコネクタ５７７により構成される。また、サブ中継基板５７０は、普通図柄表示装置４１及び特別表示装置４３とも電気的に接続されている。
【０１６０】
サブ制御装置５６０（サブ制御基板５６１）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン（電源ラインを含む）５５５、電源ポート５５６を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１６１】
入出力ポート５５４及び電源ポート５５６には、バスライン５５５を介してＣＰＵ５５１、ＲＯＭ５５２、ＲＡＭ５５３が接続されている。さらに、入出力ポート５５４には、表示制御装置４５、スピーカＳＰ、各種電飾部及びランプ１０２〜１０４等が接続されている。
【０１６２】
サブ制御装置５６０のＣＰＵ５５１は、例えばサブ中継基板５７０を介して主制御装置２６１から送信される指令信号（例えば変動パターンコマンド）に基づいて表示制御装置４５に表示制御を実行させ、装飾図柄表示装置４２に表示させる。さらに、サブ制御装置５６０は、音声やランプ表示の制御を司る。なお、上記のように、本実施形態では、主制御装置２６１が制御する特別表示装置４３にて大当たりか否かを表示するようになっており、サブ制御装置５６０が制御する装飾図柄表示装置４２では、前記特別表示装置４３の表示に合わせた表示が行われる。
【０１６３】
また、払出制御装置３１１（払出制御基板３１１ａ）は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１６４】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【０１６５】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【０１６６】
かかるＲＯＭ５１２及びＲＡＭ５１３を内蔵したＣＰＵ５１１には、アドレスバス、データバス及び電源ライン等で構成されるバスライン５１４を介して入出力ポート５１５及び電源ポート５１７が接続されている。なお、入出力ポート５１５は、上記端子部５９２によって構成され、電源ポート５１７は上記端子部５９３によって構成されている。
【０１６７】
入出力ポート５１５には、ＲＡＭ消去スイッチ回路５４３、主制御装置２６１、発射制御装置３１２、払出モータ３５８ａなどがそれぞれ接続されている。そして、発射制御装置３１２や払出モータ３５８ａなどへの電源供給も、この払出制御装置３１１を介して行われる。
【０１６８】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【０１６９】
表示制御装置４５は、サブ制御装置５６０からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン（電源ラインを含む）５３０，５３１と、電源ポート５３３とを備えている。入力ポート５２７にはサブ制御装置５６０の入出力ポート５５４が接続されている。
【０１７０】
入力ポート５２７及び電源ポート５３３には、バスライン５３０を介して、ＣＰＵ５２１、プログラムＲＯＭ５２２、ワークＲＡＭ５２３、ＶＤＰ５２６が接続されている。なお、入力ポート５２７は上記端子部６５８により構成され、電源ポート５３３は端子部６５９により構成される。
【０１７１】
また、ＶＤＰ５２６にはバスライン５３１を介して出力ポート５２９が接続されており、その出力ポート５２９には液晶表示装置たる装飾図柄表示装置４２が接続されている。そして、装飾図柄表示装置４２への電源供給も、この表示制御装置４５を介して行われる。なお、出力ポート５２９は上記端子部６５７により構成される。
【０１７２】
表示制御装置４５のＣＰＵ５２１は、サブ制御装置５６０から送信される表示コマンド（指令信号）を入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行う。
【０１７３】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１７４】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１７５】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１７６】
また、電源装置３１３（電源基板３１３ａ）は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１７７】
電源部５４１は、上記ケーブルコネクタＣ１等の電気経路を通じて、主制御装置２６１や払出制御装置３１１等に対して各々に必要な動作電源（駆動電力）を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。
【０１７８】
上述したように、電源部５４１は、主制御装置２６１の電源ポート５０７や、払出制御装置３１１の電源ポート５１７に接続されるとともに、サブ中継基板５７０を介してサブ制御装置５６０の電源ポート５５６や、表示制御装置４５の電源ポート５３３に接続されている。
【０１７９】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１８０】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１８１】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１８２】
以上詳述したように、本実施形態では、サブ中継基板５７０の端子部５７２と表示制御装置４５の端子部６５９とに接続される電源供給用のケーブルコネクタＣ２が、冷却ファン６７５用のファンダクト部６６３の下コーナー部に引っ掛けられることにより、ＶＤＰ５２６の設置範囲を迂回するように配線されている。このため、ケーブルコネクタＣ２を流れる電流に起因した電磁誘導ノイズ等が、ＶＤＰ５２６に混入することを抑制することができる。勿論、ケーブルコネクタＣ２は、下側へ迂回されているため、ＶＤＰ５２６の上方に配置されたＣＰＵ５２１への電磁誘導ノイズ等の混入を抑制することもできる。結果として、装飾図柄表示装置４２の画面におけるちらつきや瞬断等といった不具合の発生を抑制することができる。
【０１８３】
また、サブ制御装置５６０の端子部５７９と表示制御装置４５の端子部６５８とに接続されるコマンド信号用のケーブルコネクタＣ４、及び、主基板２６２の端子部７０２とサブ中継基板５７０の端子部５７３とに接続されるケーブルコネクタＣ３として比較的ケーブル長の短いものを採用しているため、所謂「ぶら下げ」等の不正行為が行われにくい。さらに、ケーブルコネクタＣ４に関しては、他のケーブルコネクタから離間した位置に配線され、見やすくなっているため、上記不正行為が行われたか否かを判別しやすくなる。
【０１８４】
なお、上述した実施形態の記載内容に限定されず、例えば次のように実施してもよい。
【０１８５】
（ａ）上記実施形態では、ケーブルコネクタを迂回させる構成を表示制御装置４５に対し適用した構成を例示しているが、これに限らず、例えばサブ制御装置５６０など他の制御装置に適用してもよい。
【０１８６】
（ｂ）各種制御装置等の配置構成も上記実施形態に限定されるものではなく、異なる配置構成を採用してもよい。
【０１８７】
（ｃ）上記実施形態では、電源供給用と指令信号用の中継基板を一体化したサブ中継基板５７０を備えた構成となっているが、これに限らず、それぞれ個別の中継基板を備えた構成としてもよい。また、中継基盤を省略し、各基板が直接的にケーブルコネクタによって接続される構成としてもよい。また、サブ中継基板５７０を、サブ制御装置５６０の基板ボックス５６２とは別の基板ボックスに収容した構成としてもよい。この場合、サブ制御基板５６１及びサブ中継基板５７０もケーブルコネクタにより接続されることとなる。
【０１８８】
（ｄ）上記実施形態では、ケーブルコネクタを迂回させる迂回手段として、冷却ファン６７５用のファンダクト部６６３を利用しているが、迂回手段はこれに限定されるものではない。例えば、ユニットカバー６５４に突起部を一体形成し、これにケーブルコネクタを引っ掛けることにより、迂回手段としてもよい。また、別体で形成した部材を迂回手段としてユニットカバー６５４に取付ける構成としてもよい。また、ケーブルコネクタの配線経路（迂回経路）に沿って、ユニットカバー６５４に迂回手段となる溝部を形成した構成としてもよい。
【０１８９】
（ｅ）上記実施形態では、迂回手段によって避ける対象が、ＶＤＰ５２６やＣＰＵ５２１の演算手段であるが、これに限らず、例えばプログラムＲＯＭ５２２、ワークＲＡＭ５２３、ビデオＲＡＭ５２４、キャラクタＲＯＭ５２５などといった他の電子部品の設置範囲を避けるように迂回手段を設けた構成としてもよい。
【０１９０】
（ｆ）上記実施形態とは異なるタイプのパチンコ機として実施してもよい。また、パチンコ機以外にも、アレンジボール機、それに類する雀球等の各種遊技機、スロットマシン等の回胴式遊技機、スロットマシンとパチンコ機とを融合した形式の遊技機などとして実施してもよい。
【符号の説明】
【０１９１】
１０…パチンコ機、４２…装飾図柄表示装置、４５…表示制御装置、２６１…主制御装置、３１３…電源装置、３１３ａ…電源基板、５２１…ＣＰＵ、５２６…ＶＤＰ、５６０…サブ制御装置、５６１…サブ制御基板、５７０…サブ中継基板、６５０…表示制御基板、６６３…ファンダクト部、６５４…ユニットカバー、６７５…冷却ファン、８００…ケーブル保持ユニット、Ｃ１〜Ｃ１０…ケーブルコネクタ。